(57)【要約】      （修正有）【課題】電力システム（たとえば、送電網システム）オペレータの訓練を円滑化するための技術を提供する。【解決手段】動的ディスパッチャシミュレータは、ランタイムの間にユーザＩＤからの入力を受信するように動作可能になり得、入力は、電力システムへのシミュレーションされる妨害を示す妨害事象を表す。その入力に基づいて、信号が、一時的シミュレーションエンジン構成要素に送信され得る。一時的シミュレーションエンジン構成要素は、シミュレーションされたフェーザ測定ユニットデータの受信に応答する警報の表示を円滑化する広域監視システムに妨害事象を表すシミュレーションされたフェーザ測定ユニットデータを出力することができる。動的ディスパッチャ訓練シミュレータはまた、ランタイムの間にユーザから別の入力を受信することができ、第２の入力は、電力システムに関係するシミュレーションされた状態を表す。【選択図】図１
2018081299.tif 000002
【特許請求の範囲】
【請求項１】
プロセッサ（１０１４）と、
前記プロセッサ（１０１４）によって実行されるときに、
第１の入力が、電力システム（２００）へのシミュレーションされる妨害を示す妨害事象を表す、ディスパッチャ訓練ルーチンが実行しているランタイムの間にユーザＩＤと関連する前記第１の入力を受信するステップ（７０５）、
前記第１の入力に基づいて、シミュレーションされたフェーザ測定ユニットデータの受信に応答して警報の表示を円滑化する広域監視システム（４４５）に前記妨害事象を表す前記シミュレーションされたフェーザ測定ユニットデータを一時的シミュレーションエンジン構成要素（５１０）が出力することを可能にし、前記一時的シミュレーションエンジン構成要素（５１０）への信号の送信を円滑化するステップ（７１０）、および、
第２の入力が、前記システムによってシミュレーションされることになる前記電力システム（２００）に関係するシミュレーションされた状態を表す、前記ランタイムの間に前記ユーザＩＤに関連する前記第２の入力を受信するステップ（７２０）
を備える動作のパフォーマンスを向上させる実行可能命令を記憶するメモリ（１０１６）と
を備える、システム。
【請求項２】
前記シミュレーションされたフェーザ測定ユニットデータが、前記電力システムに関連する電気的パラメータを監視するおよび前記電力システムから前記電気的パラメータの測定値を繰り返し取得するフェーザ測定ユニットデバイスによる出力をシミュレーションする、請求項１記載のシステム。
【請求項３】
前記広域監視システムが、前記電力システムの管理を円滑化するエネルギ管理システム構成要素によって使用されることになるダウンサンプリングされたデータセットとして前記シミュレーションされたフェーザ測定ユニットデータを送信する、請求項１記載のシステム。
【請求項４】
前記広域監視システムが、電力配給関係の情報を獲得するおよび電気分配システム内の電力配給装置を制御する管理制御および情報収集構成要素によって使用されることになるダウンサンプリングされたデータセットとして前記シミュレーションされたフェーザ測定ユニットデータを送信する、請求項１記載のシステム。
【請求項５】
前記広域監視システムが、前記電力システムのシステムセキュリティ関係の分析を実行する動的セキュリティアセスメントツールによって使用されることになるダウンサンプリングされたデータセットとして前記シミュレーションされたフェーザ測定ユニットデータを送信する、請求項１記載のシステム。
【請求項６】
前記警報が、前記電力システム内の異なるノードに関連する電圧の位相角度の差の前記フェーザ測定ユニットデバイスによる検出に応答して生成される角度妨害警報に関係する、請求項１記載のシステム。
【請求項７】
前記警報が、前記電力システムに関連する周波数妨害の前記フェーザ測定ユニットデバイスによる検出に応答して生成される周波数妨害警報に関係する、請求項１記載のシステム。
【請求項８】
前記シミュレーションされたフェーザ測定ユニットデータの前記受信に応答する前記警報の前記表示が、管理制御および情報収集構成要素によって獲得された情報の前記表示と同時発生する、請求項１記載のシステム。
【請求項９】
前記第１の入力が、事象挿入構成要素によって受信され、前記事象挿入構成要素が、シミュレーションされた定常状態電力潮流結果が、電力配給関係の情報を獲得するおよび電気分配システム内の電力配給装置を制御するように動作可能な管理制御および情報収集構成要素に送られる、動作モードで動作する、請求項１記載のシステム。
【請求項１０】
プロセッサ（１０１４）と、
プロセッサ（１０１４）によって実行されるときに、
シミュレーションされたフェーザ測定ユニットデータを一時的シミュレーションエンジン構成要素（５１０）から受信するステップ（８０５）であり、前記シミュレーションされたフェーザ測定ユニットデータが、
ディスパッチャ訓練ルーチンが実行するランタイムの間に事象挿入構成要素（５０５）と対話していると判定されたユーザＩＤに関係して受信された第１の入力に基づき、前記第１の入力は、電力システム（２００）へのシミュレーションされた妨害事象を含むシナリオに関係し、
前記電力システム（２００）に関連する電気的パラメータを監視するおよび前記電力システム（２００）から電気的パラメータの測定値を繰り返し取得するフェーザ測定ユニットデバイス（４３５）によって出力をシミュレーションするシミュレーションデータを備える、
前記受信するステップ（８０５）、
前記シミュレーションされたフェーザ測定ユニットデータを処理するステップ（８１０）、
前記シミュレーションされたフェーザ測定ユニットデータに基づいて警報を決定するステップ（８１５）、
グラフィカルユーザインターフェースを介して表示するために前記警報を生成するステップ（８２０）、および、
第２の入力が、前記システムによってシミュレーションされることになる前記電力システム（２００）に関係するシミュレーションされた状態を表す、前記ランタイムの間に前記システムと対話する前記ユーザＩＤに関する前記第２の入力を受信するステップ（８２５）
を備える動作のパフォーマンスを向上させる実行可能命令を記憶するメモリ（１０１６）と
を備える、システム。
【請求項１１】
前記動作がさらに、前記シミュレーションされたフェーザ測定ユニットデータをダウンサンプリングされたデータセットとして送信するステップを備える、請求項１０記載のシステム。
【請求項１２】
前記ダウンサンプリングされたデータセットが、前記電力システムの管理を円滑化するエネルギ管理システム構成要素によって使用される、請求項１１記載のシステム。
【請求項１３】
前記ダウンサンプリングされたデータセットが、電力配給関係の情報を獲得するおよび前記電力システム内の電力配給装置を制御する管理制御および情報収集構成要素によって使用される、請求項１１記載のシステム。
【請求項１４】
前記ダウンサンプリングされたデータセットが、前記電力システムのシステムセキュリティ関係の分析を実行するセキュリティアセスメントツールによって使用される、請求項１１記載のシステム。
【請求項１５】
前記警報が、前記電気的パラメータの変化の前記フェーザ測定ユニットデバイスによる検出に応答して生成された、請求項１０記載のシステム。
【発明の詳細な説明】
【技術分野】
【０００１】
開示される主題は、概して、電力システム（たとえば、送電網システム）オペレータの訓練を円滑化するための技術に関する。
【背景技術】
【０００２】
送電網は、管理が難しい、複雑で動的なシステムである。多くの場合、送電網は、多数の送電網デバイスおよび送電線の複雑なシステムを備え得る。さらに、送電網は、しばしば、他の送電網と統合され、大規模な送電網システムをもたらす。送電網での定常状態ストレスまたは動的ストレスは、電力転送または停止により生じ得る。したがって、送電網は、しばしば、グリッドへの１つまたは複数の妨害であることがある、妨害事象によって引き起こされ得る、潜在的停電に対して脆弱である。送電網システムの多数の部分における老朽化するインフラストラクチャ、能力強化への投資の欠如、および、増え続ける人口に基づく電力の高まる需要、ならびに、より多くの技術の拡散（たとえば、システムにおける再生可能なエネルギソースの多大な浸透、電気自動車またはＥＶなどの新時代の輸送手段）は、送電網システムがその安定限界で稼働する一因になっている。コントロールセンタの電力システムオペレータ（ディスパッチャとも称される）は、様々な制御システムを使用して、フィードバックを取得し、グリッドを管理するために決定し、行動する任務を負っている。新時代の制御室は、広範な地形の動的可観測性およびリアルタイムの動的セキュリティアセスメント（ＤＳＡ：Ｄｙｎａｍｉｃ  Ｓｅｃｕｒｉｔｙ  Ａｓｓｅｓｓｍｅｎｔ）を可能にする広域管理システム（ＷＡＭＳ：Ｗｉｄｅ  Ａｒｅａ  Ｍｏｎｉｔｏｒｉｎｇ  Ｓｙｓｔｅｍ、広域監視システムとも称される）などの高度ツールを導入し、開発し続けている。これらの新時代の制御室アプリケーションを使用するために、そして様々な種類の送電網妨害事象に対応するために、システムオペレータを適切に訓練することは、送電網システムの管理を円滑にし得る。
【０００３】
送電網システムに関係する前述の背景は、単に、いくつかの現在の問題の文脈的概観を提供することを意図されており、包括的であることは意図されていない。他の文脈的情報が、以下の詳しい説明を見直すときにさらに明らかとなり得る。
【発明の概要】
【０００４】
本開示の非限定的および非包括的実施形態が、以下の図面を参照して説明され、図面において、同様の参照番号は、他に特に指定がない限り、様々なビューを通して同様の部分を指す。
【図面の簡単な説明】
【０００５】
【図１】本開示の態様による顧客構内への電気エネルギの配送を円滑にするシステムを示す図である。
【図２】本開示の態様による送電網システムトポロジ配列、相互接続、およびアーキテクチャの一例を示す図である。
【図３】本開示の態様による送電網システムにおける測定デバイス（たとえば、感知デバイス）を示す図である。
【図４】ＳＣＡＤＡベースのデータおよびＰＭＵベースのデータを収集および処理するための例示的システムを示す図である。
【図５】本開示の態様による例示的動的ディスパッチャ訓練シミュレータシステムのハイレベルブロック図である。
【図６】本開示の態様による、動的ディスパッチャ訓練シミュレータシステム、より具体的には、動的ディスパッチャ訓練シミュレーションシステムの構成要素、によって実行され得る例示的動作を示す図である。
【図７】本開示の態様による動的ディスパッチャ訓練シミュレーション動作を実行するように動作可能な例示的デバイスを示す図である。
【図８】本開示の態様による動的ディスパッチャ訓練シミュレーション動作を実行するように動作可能な例示的デバイスを示す図である。
【図９】本開示の態様による送電網システムにおいて動的ディスパッチャ訓練シミュレーション動作を実行するための例示的方法を示す図である。
【図１０】サンプル計算環境の概略的ブロック図である。
【図１１】開示される主題の様々な態様がそこにおいて実施され得る例示的クライアント−サーバネットワーク環境を示す図である。
【発明を実施するための形態】
【０００６】
本開示は、図面を参照してここで説明され、これらの図面において、同様の参照番号は、全体にわたって、同様の要素を指すために使用される。以下の説明では、説明を目的として、多くの具体的詳細が、本開示の完全な理解を実現するために、説明される。
【０００７】
以下の説明および付属の図面は、本主題のある特定の例示的態様を詳細に説明する。しかしながら、これらの態様は、本主題の原理が実装または使用され得る様々な方法のうちの単にいくつかを示す。開示される主題の他の態様、利点、および新しい特徴が、提供される図面と併せて考慮されるときに以下の詳細な説明から明らかとなろう。以下の記述では、説明を目的として、多くの具体的詳細が、本開示の理解を実現するために説明される。しかしながら、本開示はこれらの特定の詳細なしに実施され得ることが明らかであろう。他の場合には、よく知られている構造物およびデバイスが、本開示の説明を円滑にするために、ブロック図の形で示される。たとえば、本明細書で説明される方法（たとえば、プロセスおよび論理の流れ）は、本明細書に記載される動作のパフォーマンスを向上させるために機械実行可能命令を実行するプログラマブルプロセッサを備えるデバイスによって実行され得る。そのようなデバイスの例は、図１０および図１１に記載されるような回路および構成要素を備えるデバイスでもよい。
【０００８】
本願において、「構成要素」、「システム」、「プラットフォーム」、「インターフェース」、「ノード」、「ソース」、「エージェント」などの用語は、コンピュータ関連エンティティ、あるいは１つまたは複数の特定の機能を有する動作機械に関係するエンティティを指し得るあるいは備え得る。本明細書で開示されるエンティティは、ハードウェア、ハードウェアおよびソフトウェアの組合せ、ソフトウェア、または実行中のソフトウェアのいずれかでもよい。たとえば、構成要素は、プロセッサで実行するプロセス、プロセッサ、オブジェクト、実行ファイル、実行のスレッド、プログラム、またはコンピュータでもよいが、これらに限定されない。例として、サーバで実行するアプリケーションとサーバとの両方は、構成要素になり得る。１つまたは複数の構成要素は、プロセスまたは実行のスレッド内に存在し得、構成要素は、１つのコンピュータに局在し得、または２つ以上のコンピュータの間で分散され得る。また、これらの構成要素は、そこに記憶された様々なデータ構造物を有する様々なコンピュータ可読媒体から実行し得る。構成要素は、１つまたは複数のデータパケットを有する信号によるなどしてローカルまたはリモートプロセスを介して通信し得る（たとえば、ローカルシステム、分散システムにおいて、または信号を介して他のシステムとインターネットなどのネットワークを横切って、別の構成要素と対話する１つの構成要素からのデータ）。
【０００９】
加えて、「または」という用語は、排他的な「または」ではなくて包括的な「または」を意味することが意図されている。すなわち、他に特に指定のない限り、または文脈から明らかでない限り、「ＸはＡまたはＢを使用する」は、自然な包括的順列のいずれも意味することが意図されている。すなわち、ＸがＡを使用する、ＸがＢを使用する、または、ＸがＡおよびＢの両方を使用する場合、そのとき、「ＸがＡまたはＢを使用する」は、前述のいずれの場合にも満たされる。さらに、本明細書および付属の図面において使用されるものとしての冠詞「ａ」および「ａｎ」は、一般に、単数形を指示すると他に指定のない限り、または文脈から明らかでない限り、「１つまたは複数の」を意味すると解釈されるべきである。
【００１０】
例示的実施形態では、次世代ツール（たとえば、ＷＡＭｓおよびＷＡＭＳ関連アプリケーション）を使用するために送電網システム制御室オペレータを訓練するためのシステムおよび方法が提供される。本訓練は、従来のエネルギ管理システム（たとえば、エネルギ管理システム（ＥＭＳ：Ｅｎｅｒｇｙ  Ｍａｎａｇｅｍｅｎｔ  Ｓｙｓｔｅｍ）、管理制御および情報収集（ＳＣＡＤＡ：Ｓｕｐｅｒｖｉｓｏｒｙ  Ｃｏｎｔｒｏｌ  ａｎｄ  Ｄａｔａ  Ａｃｑｕｉｓｉｔｉｏｎ）システム）とともにこれらの次世代のシステムの使用を備え得る。数あるオペレーションの中で、動的ディスパッチャ訓練シミュレータ（ＤＤＴＳ：Ｄｙｎａｍｉｃ  Ｄｉｓｐａｔｃｈｅｒ  Ｔｒａｉｎｉｎｇ  Ｓｉｍｕｌａｔｏｒ）構成要素（たとえば、モジュール）は、ディスパッチャ訓練ルーチンが実行しているランタイムの間にユーザから入力を受信するように動作可能になり得、そこにおいて、入力は、電力システムへのシミュレーションされる妨害を示す妨害事象を表す。その入力に基づいて、信号が、一時的シミュレーションエンジン構成要素に送信され得る。一時的シミュレーションエンジン構成要素は、シミュレーションされたフェーザ測定ユニット（ＰＭＵ：Ｐｈａｓｏｒ  Ｍｅａｓｕｒｅｍｅｎｔ  Ｕｎｉｔ）データの受信に応答して警報の表示を円滑化するＷＡＭＳに妨害事象を表すシミュレーションされたＰＭＵデータを出力することができる。ＤＤＴＳ構成要素はまた、ランタイムの間にユーザから別の入力を受信することができ、第２の入力は、電力システムに関係するシミュレーションされる状態を表す。
【００１１】
図１は、発電および顧客構内への電力配送のプロセス（たとえば、エネルギ、電気の配送）を円滑化し得る構成要素を示す電力配送プロセス１００の例示的実施形態を示す図である。電力は、発電施設で生成され、次いで、変圧器を有する変電所に送電線によって運ばれ得る。より小さい、より低い電圧送電線および変電所のローカル分配システムが、電力を顧客構内に運ぶ。
【００１２】
発電施設１０５は、顧客の電力需要を満たすために、電気を生成する。様々な施設が、電気を生成し得る。発電施設１０５は、石炭、石油、または天然ガスを燃やす発電所を備え得る。発電施設１０５はまた、原子力発電所、水力発電ダム、風力タービン、およびソーラーパネルを備え得る。これらの発電機の場所およびエンドユーザからのそれらの距離は、広く異なり得る。
【００１３】
電気が発電施設１０５によって生成された後、発電所に隣接する（および電力線を介してそれに接続された）発電所変電所に通常置かれる変圧器（たとえば、昇圧器１１０）は、電気の電圧を「上げる」ことになる。電力が電力線（たとえば、電気を通す金属ワイヤ）を介して伝わるとき、その電力のうちのいくらかは、熱の形で浪費される。電力損失は、運ばれる電流の量に比例する。電力会社は、電流を低く保ち、電圧を上げることによって補う。
【００１４】
電圧が上げられた後、電気は通常は、様々な寸法、材料、および高さであり得る送電塔（たとえば、送電塔１１５1、１１５2）によって通常はサポートされるおよび高められる、高電圧送電線によって長距離にわたり運ばれる。
【００１５】
さらに図１を参照すると、電圧は、電気が顧客構内に近づくときに、逓降変圧器によって次第に下げられる。送電変電所は、電気の電圧を下げる逓降変圧器（たとえば、送電変電所逓降変圧器１２０）を含む。電気は、次いで、より低い電圧電力線に分散され得る。通常の送電変電所は、数万人の顧客に供給し得る。
【００１６】
送電変電所を離れる電気は、電力線を介して分配変電所に移動し得る。分配変電所は、電気の電圧をさらに下げる逓降変圧器（たとえば、分配変電所逓降変圧器１２５）を含み、数百人の顧客に供給することができる主要電力線を介して都市および町に電力を分配する。配電線は、家庭および企業の集まりにより低い電圧電力を運び、通常は、木柱によってサポートされる。注目すべきことには、電力線はまた、地中に埋めることもできる。
【００１７】
注目すべきことには、変電所は、スイッチ、遮断器、調整器、バッテリなどを含む、様々な他の装置を含み得る。
【００１８】
支線からの電圧はさらに、架空引込電力線を介して顧客構内（たとえば、顧客構内１３５）に接続する柱に取り付けられた変圧器（たとえば、柱の逓降変圧器１３０）によって下げることができる。
【００１９】
顧客構内１３５は、任意のタイプおよび種類でもよい。顧客構内は、住宅などの居住施設のある顧客構内でもよい。顧客構内は、工場などの工業的顧客構内でもよい。顧客構内は、オフィスビルなどの商業的顧客構内でもよい。特定の顧客構内が、より重いロードを有する（たとえば、電力のより高い需要を有する）場合、そのとき、柱の変圧器ではなくて、より大きい変圧器が、その特定の顧客構内に供給し得る。
【００２０】
図２は、多数のノード２０５1〜Nを備える送電網システム２００（たとえば、電力システム）を示す図であり、ノードは、発電施設、送電変電所、または分配変電所を備え得、そのような施設および変電所が相互接続され得ることを伝えることが意図されている。送電網システム２００は、予算、システム信頼性、ロード需要（電力の需要）、土地、および地質などの要因によって影響を受ける、構造的トポロジに従い得る。多数の都市および町における構造的トポロジ、たとえば北米におけるそれらの多く、は、古典的な放射状のトポロジに従う傾向がある。これは、樹形であり、そこにおいて、より大きい電圧線および変電所からの電力が、顧客構内に到達するまで、より低い電圧線および変電所へと次第に放射状に広がる。変電所が、発電施設からそれの電力を受信し、その電力は、変圧器で下げられ、地方にわたるすべての方向に広がるラインを介して送られる。これらの給電線は、３相の電力を運び、変電所の近くの幹線街路をたどる傾向がある。変電所からの距離が長くなるとき、より小さいラテラルが、給電線によってもらされたエリアをカバーするために広がるので、ファンアウトは継続する。この樹状構造は、変電所から外側に伸びるが、単一の電力障害が、その木の全部の枝を動作不能にさせ得る。信頼性を理由として、ある変電所から近くの変電所への未使用のバックアップ接続がしばしば存在する。このバックアップ接続は、変電所のサービスエリアの一部が、任意の電力障害事象の場合に別の変電所によって供給され得るように、緊急の場合に有効にされ得る。冗長性は、回線障害が生じ、作業員が損害を受けたまたは機能停止した構成要素のサービスを復旧させる間に、電力がルート変更されることを可能にする。近隣の電力会社はまた、通常は、彼らのグリッドをリンクし、それによって、互いに助け合って、発電供給とロード（たとえば、顧客需要）との間のバランスを維持する。他のトポロジは、メッシュトポロジ、ループ状システム（多くは欧州において見られる）およびリングネットワークでもよい。
【００２１】
結果は、数十万マイルの高電圧送電線によって接続された発電所および変圧器の複雑なネットワークを形成し得る相互接続された送電網システムになり得る。これらの相互接続は、いくつかの状況において有用であり得るが、その危険性またはリスクは、１つのセクタにおけるシャットダウンが他のセクタに速やかに広がり、広域における大規模な電力障害につながり得る可能性を備え得る。米国北東部のいくつかの州に影響を及ぼした２００３年の停電は、電力システムが時間とともにどれほど相互接続されていたかと、結果として生じた相互作用および相互接続が複数の領域にわたる電力供給に有し得た重大な効果とを浮き彫りにした。電力停止は、数千万人と数万メガワット（ＭＷ）の電気ロードに影響を及ぼした。米国のいくつかの部分は、最長４日間にわたり電力のない状態が続いた。
【００２２】
図３は、本開示の態様による送電網システム２００の測定デバイス３０２1〜Nを示す。電力ネットワーク全体にわたり、様々なセンサ、監視デバイスおよび測定デバイス（本明細書では総称して「測定デバイス」と呼ばれる）が、１つまたは複数のノード（たとえば、ノード２０５1〜N）に置かれ得、それは、電力潮流測定値（たとえば、定常状態電力潮流測定値）またはフェーザ測定ユニット（ＰＭＵ）ベースの測定値（以下を参照）に関係する監視データを提供するために、あるいは送電網システムの１つまたは複数の態様の状態を監視するために、使用され得る。電力システム内に配備された測定デバイス（たとえば、測定デバイス３０２1〜N）の多くは、変電所を含む送電構成要素（たとえば、生成ユニット、変圧器、回路遮断器）内に、またはその近隣に置かれる。測定デバイスはまた、配電線に沿って配備され得る。これらのセンサは、電圧、電流、高調波ひずみ、実および無効電力、力率、および故障電流などの様々なパラメータの測定を助ける。いくつかのセンサの例は：電圧および電流センサ、位相測定ユニット（ＰＭＵ：ｐｈａｓｅ  ｍｅａｓｕｒｅｍｅｎｔ  ｕｎｉｔ）、石油センサ内の変圧器−金属絶縁半導体（ＭＩＳ：ｔｒａｎｓｆｏｒｍｅｒ−ｍｅｔａｌ  ｉｎｓｕｌａｔｅｄ  ｓｅｍｉｃｏｎｄｕｃｔｉｎｇ）ガス、回路遮断器六フッ化硫黄密度センサ、架空送電導体温度および電流量を記録する導体温度および電流センサ、架空絶縁体漏れ電流センサ、送電線避雷器（ＴＬＳＡ：ｔｒａｎｓｍｉｓｓｉｏｎ  ｌｉｎｅ  ｓｕｒｇｅ  ａｒｒｅｓｔｅｒ）センサを備える。
【００２３】
図３では、送電網システム２００は、グリッド全体にわたる様々なパーツ（たとえば、ノードなど）に置かれた測定デバイス３０２1〜N（測定デバイス３０２とも称される）を備え得る。測定デバイス３０２1〜Nは、送電線のネットワークを介して、ならびにワイヤレスおよびワイヤード通信媒体（たとえば、セルラ、イーサネット（登録商標）など）を介して、結合され得る。たとえば、測定デバイス３０２Nおよびデバイス３０２4は、デバイス３０２1〜Nと関連する送電線のネットワークから送電線３０４を介して結合され得る。さらに、測定デバイス３０２1〜Nのサブセットは、送電網システム２００のセクタと関連し得る。たとえば、送電網システム２００のセクタ３０６は、測定デバイス３０２1、測定デバイス３０２2および測定デバイス３０２3を備え得る。１つの例では、セクタ３０６は、送電網システム２００のコリドであることもある。測定デバイスは、以下でさらに説明される。
【００２４】
例示的実施形態では、送電網システム２００の信頼性は、測定デバイス３０２1〜Nから受信されたデータの使用および分析と、中央コントロールセンタに次いで通信されるシステム状態の監視とを介して、促進することができ、自動化されたアクションと人間の決定との組合せが、送電網システム２００が安定し、均衡を保つことを確保するための努力を支援する。
【００２５】
図４は、送電網システムから情報を取得するためのおよび送電網管理システムを制御するためのシステムの実施形態の一例を示す。図４に示される様々な構成要素は、ソフトウェア、ハードウェア、またはその両方の組合せ（たとえば、プロセッサと、プロセッサによって実行されるときに本明細書に記載の動作のパフォーマンスを向上させる実行可能命令を記憶するメモリとを備える、コンピューティングデバイス）を備え得る。
【００２６】
図４の測定デバイス３０２1〜Nは、たとえば、電力潮流、電圧、電流、高調波ひずみ、周波数、実および無効電力、力率、故障電流、および位相角度を備え得る、送電網システム（たとえば、電気分配システム）に関連する電気的特性の判定を取得する、監視するまたは円滑化することができる。測定デバイス３０２1〜Nはまた、保護リレー、グローバルポジショニングシステム（ＧＰＳ）、フェーザデータ集線装置、通信機能、または他の機能と関連し得る。測定デバイス３０２は複数の測定デバイスとして実装され得るまたは複数の測定デバイスと関連し得ることを理解されたい。
【００２７】
測定デバイス３０２1〜Nは、送電網システム（たとえば、電気分配システム）に関連する電気的特性または電気的パラメータのリアルタイム測定を行うことができる。たとえば、測定デバイス３０２は、たとえば、ＳＣＡＤＡ構成要素、ＷＡＭＳ構成要素（以下でさらに論じられる）、および、それらの測定値を使用し得る他の関連アプリケーションによって使用され得る、送電網システム（たとえば、電気分配システム）からの測定値を繰り返し取得することができる。測定デバイス３０２によって取得される測定値は、電力潮流データ（たとえば、ＳＣＡＤＡシステムに送られ得る定常状態電力潮流データ）、またはＰＭＵベースのデータに関連し得る。たとえば、測定デバイス３０２は、電力潮流データまたは電力潮流データを生成するために使用されるデータを繰り返し取得し得る。一態様において、測定デバイス３０２は、１秒未満の時間の間隔の間に送電網システムから測定値を繰り返し取得し得る。たとえば、測定デバイス３０２は、１秒未満の測定値を送電網システムから繰り返し取得し得る。非限定的例では、送電網システムから測定値を取得するための時間の間隔は、毎秒３０回でもよい。一態様において、測定デバイス３０２によって生成または取得されるデータは、送電網システムに関連するコード化されたデータ（たとえば、エンコードされたデータ）でもよい。
【００２８】
さらに図４を参照すると、測定デバイス３０２1〜Nは、測定データをリモート端末装置およびプログラマブルロジックコントローラ（ＲＴＵおよびＰＬＣ４１５）に供給する電圧センサ４０５および電流センサ４１０を備え得る。測定デバイスとも考えられ得る、ＰＬＣおよびＲＴＵ４１５は、発電所、変電所、および、送電線と配電線との交点にインストールされ得、それらが接続された電圧および電流センサからそれのデータを受信することができる。ＰＬＣおよびＲＴＵは、測定されたデータをＳＣＡＤＡシステム（たとえば、ＳＣＡＤＡ構成要素４２０）に送信するためのデジタル形式にそのデータを変換することができる。電圧および電流量は、ＳＣＡＤＡ構成要素４２０によって数秒ごとに測定され、システムオペレータにレポートされ得る。
【００２９】
ＳＣＡＤＡ構成要素４２０は、データ獲得、発電所の制御、および警報表示などの機能を提供し得る。ＳＣＡＤＡ構成要素４２０はまた、中央コントロールセンタにいるオペレータが送電網システム内のエネルギフローの管理を実行または円滑化することを可能にし得る。たとえば、オペレータは、ＳＣＡＤＡ構成要素４２０を使用して（たとえば、ラップトップまたはデスクトップなどのコンピュータを使用して）、回路遮断器を開くもしくは閉じることまたは電気の流れを転換させ得る他の切替動作（たとえば、インテリジェント電子デバイス（ＩＥＤ）の使用を介することを含む）などのある特定のタスクのパフォーマンスを向上させることができる。例示的実施形態では、ＳＣＡＤＡ構成要素４２０はまた、マスタ端末ユニット（ＭＴＵ）と称され、時にはＳＣＡＤＡセンタとも称される、１つまたは複数の中央ホストサーバを備え得る。ＭＴＵはまた、信号をＰＬＣおよびＲＴＵに送って、アクチュエータおよびスイッチボックスを介して装置を制御することができる。加えて、ＭＴＵは、他のノードなどで制御、警報の発信およびネットワーク化を実行することができる。したがって、妨害が監視され得、グリッド管理タスクが実行され得るように、ＳＣＡＤＡ構成要素４２０は、ＰＬＣおよびＲＴＵ４１５を監視することができ、情報または警報を電気通信チャネルを介してオペレータに送り返すことができる。ＳＣＡＤＡシステム（たとえば、ＳＣＡＤＡ構成要素４２０）は、様々な測定されたパラメータを提供することができ、ＳＣＡＤＡデータは、比較的高速で更新され得る（以下に記載されるような、ＰＭＵベースのシステムほどは速くないが）。有用な測定値は、大多数の電力線、電力変圧器および発電機の有効電力、大多数の電力変圧器、分路リアクタ、分路コンデンサおよび発電機の無効電力、大多数の変電所の電圧、グリッドのいくつかの場所で測定された周波数、電力線、電力変圧器および発電機に関係して切り替えられる大多数のネットワークの状況、変圧器タップ位置などを含み得る。
【００３０】
ＳＣＡＤＡ構成要素４２０はまた、ＥＭＳ（たとえば、ＥＭＳ４２５）などの送電網システム内のデバイスを監視または制御するためのシステムと関連し得る。ＥＭＳは、生成または伝送システムのパフォーマンスを監視、制御、および最適化するために送電網システムのオペレータによって使用されるコンピュータ支援ツールの１つまたは複数のシステムを備え得る。しばしば、ＥＭＳはまた、ＳＣＡＤＡ／ＥＭＳまたはＥＭＳ／ＳＣＡＤＡとも称される。これらに関して、ＳＣＡＤＡ／ＥＭＳまたはＥＭＳ／ＳＣＡＤＡはまた、ＳＣＡＤＡの機能を実行することができる。
【００３１】
ＳＣＡＤＡ構成要素４２０は、たとえば、リアルタイム情報（たとえば、送電網システム内のデバイスに関連するリアルタイム情報）またはセンサ情報（たとえば、送電網システム内のデバイスに関連するセンサ情報）を備える、ＳＣＡＤＡデータ（たとえば、図４に示されるＳＣＡＤＡデータ）を生成または提供することができる。ＳＣＡＤＡデータは、たとえば、ＳＣＡＤＡ構成要素４２０によって直接にまたは別の構成要素（たとえば、ＥＭＳ４２５）を介してリポジトリ４３０（以下でさらに説明される）に記憶され得る。例示的実施形態では、ＳＣＡＤＡ構成要素４２０によって判定または生成されたデータは、他の構成要素によって使用され得るトポロジデータの生成を円滑化するために使用され得る（トポロジデータは、以下でさらに説明される）。
【００３２】
電流センサおよび電圧センサの使用は、速い応答を可能にする。ライン、変圧器、および他の構成要素を介して電力潮流を監視するＳＣＡＤＡ構成要素４２０は、通常は、２から６秒ごとに測定を行い、この測定データ（たとえば、定常状態電力潮流データ）をＳＣＡＤＡ構成要素に渡す。従来、ＳＣＡＤＡシステムは、そのサンプリングレートの低さを理由として、電力システムの動的特性を観測するために使用することはできない（たとえば、ミリ秒の時間スケールで生じる過渡現象の詳細を検出することはできない（１つの６０Ｈｚサイクルは１６ミリ秒）。加えて、ＳＣＡＤＡ技術は、ユーティリティの間の伝送の何らかの調整を可能にするが、応答の多くはユーティリティコントロールセンタにいる人間のオペレータの間の通話に基づき、プロセスは、特に緊急時には、遅くなり得る。さらに、ほとんどのＰＬＣおよびＲＴＵは、相互運用性の業界全体の標準が確立される前に開発され、そのようなものとして、近隣のユーティリティは、しばしば、互換性のない制御プロトコルを使用する。
【００３３】
さらに図４を参照すると、測定デバイス３０２1〜Nはまた、フェーザ測定ユニット（ＰＭＵ）４３５を備え得る。ＰＭＵ４３５は、独立型デバイスでもよく、または、保護リレーなどの別の装置に統合され得る。ＰＭＵ４３５は、変電所で使用され得、１つまたは複数のソフトウェアツール（たとえば、広域管理システム（ＷＡＭＳ）、ＳＣＡＤＡシステム、ＥＭＳ、および他のアプリケーション）によって使用される、ＰＭＵベースのデータ（たとえば、ＰＭＵ−データ、ＰＭＵデータ、シンクロフェーザデータとも称される）を提供し得る。ＲＴＵのように、ＰＭＵ４３５は、同期化のために共通の時間ソースを使用する送電網上の主要な交差する場所（たとえば、変電所）で電圧および電流を測定する電圧および電流センサ（たとえば、電圧センサ４０５、電流センサ４１０）を使用することができ、タイムスタンプ付きの電圧および電流フェーザを正確に出力することができる。結果として生じた測定値は、しばしば、シンクロフェーザと称される（シンクロフェーザという用語は、ＰＭＵ４３５によって取得された同期化されたフェーザ測定値を指すが、デバイス自体を説明するためにその用語を使用している場合もある）。これらのフェーザは、真に同期化されているので、２つの量の同期化された比較が、リアルタイムで可能であり、この時間同期化は、グリッド上の複数のリモート測定ポイントの同期化されたリアルタイム測定を可能にする。電圧および電流、位相電圧および電流、周波数、周波数変化率、回路遮断器状況、スイッチ状況などの同期測定に加えて、高いサンプリングレート（たとえば、毎秒３０回）は、ＳＣＡＤＡと対照的に「１秒未満」解を提供する。これらの比較は、たとえば、以下のシステム状態を評価するために使用され得る：周波数変化、メガワット（ＭＷ）での電力、メガボルトアンペアリアクティブ（ＭＶＡＲ）での無効電力、キロボルト（ＫＶ）での電圧など。そのようなものとして、ＰＭＵ測定値は、動的グリッド状態に改善された可視性を提供することができ、動的電力システムのリアルタイム広域監視を可能にし得る。さらに、シンクロフェーザは、測定時の電力配送システムの実際の周波数を説明する。電力は、より高い電圧位相角度からより低い電圧位相角度に流れ、それら２つの差は電力潮流に関係するので、これらの測定値は、交流電流（ＡＣ）電力システムにおいて重要である。定常状態ならびに動的状態の両方で動作する、ＰＭＵ４３５の測定要件および準拠性テストは、電気電子技術者協会（ＩＥＥＥ）、すなわちＩＥＥＥ標準Ｃ３７．１１８、によって標準化された。
【００３４】
ＰＭＵが単一の送電線によって互いに直接接続されない場合でも、２つの遠く離れたＰＭＵの間の大きな位相角度差は、グリッドにわたる相対的ストレスを示し得る（たとえば、前述の２００３年の停電では、位相角度が停電に先立って広がった）。この位相角度差は、送電網の不安定性を識別するために使用することができ、ＰＭＵは、それが位相角度差を検出したときに角度妨害警報（たとえば、角度差警報）を生成するために使用され得る。ＰＭＵに角度妨害警報を生成させ得る妨害の例は、たとえば、ラインアウトまたはラインイン妨害を備え得る（たとえば、稼働中だったラインが現在は非稼働になったラインアウト妨害、または、ラインイン妨害の場合には、非稼働だったラインが稼働を再開させられる）。ＰＭＵはまた、周波数警報の生成をもたらす、周波数差を測定および検出するために使用され得る。一例として、ユニットアウトおよびユニットイン妨害は、周波数警報の生成をもたらし得る（たとえば、生成ユニットが稼働中であったが、非稼働になり得る、または、非稼働であったユニットが稼働を再開した  −  両方とも周波数警報の生成をもたらし得るシステムにおける周波数妨害を引き起こし得る。）。前述の妨害（たとえば、ラインイン／アウト、ユニットイン／アウト、ロードイン／アウト）は、角度または周波数妨害警報をもたらし得るが、角度または周波数妨害警報は、特定のタイプの妨害が生じたことを必ずしも意味せず、それがそのタイプの妨害を示すことのみを意味し得る。たとえば、周波数妨害警報が検出された場合、それは必ずしもユニットインまたはユニットアウト妨害でないことがあり、ロードインまたはロードアウト妨害であることがある。
【００３５】
さらに図４を参照すると、例示的実施形態では、複数のＰＭＵ４３５が、変電所にローカルＰＤＣを備え得る、１つまたは複数のフェーザデータ集線装置（ＰＤＣ：ｐｈａｓｏｒ  ｄａｔａ  ｃｏｎｃｅｎｔｒａｔｏｒ）にそれらのフェーザデータ測定出力を送ることができる。ＰＤＣは、フェーザデータを時間同期化してリアルタイムの、時間的に整合された出力データストリームを作り出すことができる。加えて、ＰＤＣは、他の場所にあるＰＤＣとフェーザデータを交換することができる。複数のＰＤＣはまた、たとえばコントロールセンタにあることがある、中央ＰＤＣ、企業のＰＤＣ、地域のＰＤＣなどにフェーザデータを供給し得る。複数のＰＤＣの使用を介して、複数の集中層が、個々のシンクロフェーザデータシステム内に実装され得る。非常に高いサンプリングレート（通常は、毎秒１０から６０回）およびリアルタイムでデータを流す変電所での多数のＰＭＵインストールを有して、ＰＤＣを備えるほとんどのフェーザ獲得システムは、大量のデータを処理する。参考として、テネシー渓谷開発公社（ＴＶＡ：Ｔｅｎｎｅｓｓｅｅ  Ｖａｌｌｅｙ  Ａｕｔｈｏｒｉｔｙ）の中央ＰＤＣは、現在、９０を超えるＰＭＵからのデータを集中させる責任を負い、毎日３０ギガバイト（ＧＢ）を超えるデータを処理する。ＰＭＵベースのデータはまた、ＰＤＣ／中央ＰＤＣ４４０、またはＰＭＵベースのデータを受信する何らかの他のアプリケーションまたは構成要素（たとえば、いくつかの実施形態では、以下で論じられるＥＭＳ、ＳＣＡＤＡ、またはＷＡＭＳ）によって、１つまたは複数のリポジトリ（たとえば、リポジトリ４３０）に記憶され得る。
【００３６】
さらに図４を参照すると、ＰＤＣ／中央ＰＤＣ４４０は、他のシステム、たとえば、ＳＣＡＤＡ構成要素４２０、エネルギ管理システム（ＥＭＳ）、シンクロフェーザアプリケーションソフトウェアシステム、または何らかの他のコントロールセンタソフトウェアシステム、にフェーザベースのデータを供給することができる。１つのそのようなシステムはまた、広範な地形の動的可観測性を提供する、広域管理システム（ＷＡＭＳ、広域監視システムとも称される）とも称される。図４に示すように、ＰＤＣ／中央ＰＤＣ４４０からの出力は、ＷＡＭＳ構成要素４４５へでもよい。いくつかの例示的実施形態では、ＷＡＭＳはまた、ＷＡＭＳおよびＰＤＣ／中央ＰＤＣ構成要素がより統合されるように、ＰＤＣまたは中央ＰＤＣ構成要素４４０を備え得る。ＷＡＭＳおよびＷＡＭＳ関連アプリケーションは、システム安定度に関係する脆弱性を識別し、対策の開発および実装を助けるまたは円滑化するために、リアルタイムでの送電網システムダイナミクスの監視を可能にし得る。ＷＡＭＳおよびＷＡＭＳ関連アプリケーションを動作させるＰＭＵデータは、電圧および電流フェーザ、および、周波数のように他の電力システム関係の数量のより正確に時間的に同期化された値の配給を可能にするので、それらは、送電網システムの状態のより条件付き認識を可能にし、従来のＳＣＡＤＡシステムより上の世代と考えられる。ＷＡＭＳはまた、ＳＣＡＤＡおよびＥＭＳシステムの補足と考えることができ、そこにおいて、ＳＣＡＤＡ／ＥＭＳおよびＷＡＭＳの両方を動作させることで、送電網システムの状態の別個のビューを提供することができる。
【００３７】
いくつかの例示的実施形態では、ＷＡＭＳ４４５、ＥＭＳ４２５およびＳＣＡＤＡ４２０構成要素のうちの１つまたは複数が、統合され得る。たとえば、ＷＡＭＳ構成要素４４５は、ＥＭＳまたはＳＣＡＤＡからデータを受信する、またはＥＭＳまたはＳＣＡＤＡにデータを出力することができる。もう１つの例として、ＳＣＡＤＡ４２０は、データ（たとえば、ＳＣＡＤＡデータ）をＥＭＳ４２５に送るように動作可能になり得、ＥＭＳ４２５は、次いで、そのデータをＷＡＭＳ構成要素４０２に提供することができる。
【００３８】
ＷＡＭＳ４４５、ＥＭＳ４２５、およびＳＣＡＤＡ４２０はまた、他のシステム（アプリケーション、モジュール、構成要素）と関連し得る。例示的システムは、送電網システムのための条件付き認識システム、送電網システムのための可視化システム、送電網システムのための監視システム（たとえば、振動監視アプリケーション、位相角度監視アプリケーション、電圧安定度監視アプリケーション、温度監視アプリケーション）、状態推定アプリケーション、偶然性分析アプリケーション、安定度アセスメントシステム、アイランディング／再同期管理アプリケーションなどを備え得る。いくつかの例示的な従来の（たとえば、定常状態）ＥＭＳ／ＳＣＡＤＡアプリケーションは、ＳＣＡＤＡベースのデータを受信および使用することができ、いくつかの例示的なアプリケーションは、ＰＭＵベースのデータを受信および使用することができ、そして、いくつかの例示的なアプリケーション（「統合」または「ハイブリッド」とも称される）は、ＰＭＵベースのデータおよびＳＣＡＤＡベースのデータの両方を受信および使用することができる。
【００３９】
さらに図４を参照すると、ローカル（たとえば、図１０のディスクストレージ１０２４、図１１のクライアントデータストアなど）でもよく、またはネットワーク化され得る（たとえば、図１０のメモリストレージ１０４６、図１１のサーバデータストア１１４０）など）、１つまたは複数のリポジトリ（たとえば、リポジトリ４３０）が、様々な情報を記憶し、提供され得る。様々な形式でのデータは、ＲＴＵ／ＰＬＣ４１５、ＳＣＡＤＡ４２０、ＥＭＳ４２５、ＰＤＣ／中央ＰＤＣ４４０、ＷＡＭＳ４４５、または、データを受信もしくは使用する任意の他の構成要素もしくは副構成要素を備える、構成要素によって（直接に、または間接的に）記憶されたデータでもよい。
【００４０】
以下でさらに説明されるように、データは、送電網システムから繰り返し取得される測定値を示す測定デバイス３０２1〜Nによって生成された情報（ＰＭＵ、メータ、センサ、および送電網システム内の他の装置からの情報を含む）を備え得、トポロジデータ、妨害事象データ、分析データ、履歴データなど、ＳＣＡＤＡ４２０、ＥＭＳ４２５、またはＷＡＭＳ４４５によって生成されたデータなどの他のデータもまた備え得る。
【００４１】
例示的実施形態では、リポジトリ４３０に記憶されるデータは、関連ＳＣＡＤＡデータおよびＰＭＵデータでもよい。リポジトリ４３０内のＳＣＡＤＡデータおよびＰＭＵデータは、たとえば、送電網システム（たとえば、送電網システム２００）内の特定のユニット、ライン、変圧器、またはロードに関連するデータなど、ＰＭＵ／ＳＣＡＤＡベースの装置データを備え得る。データは、電圧測定値、電流測定値、周波数測定値、フェーザデータ（たとえば、電圧および電流フェーザ）などを備え得る。データは、場所タグを付され得る。たとえば、それは、測定される電力配送デバイスが置かれた特定のステーションのステーション識別を備え得る（たとえば、「ＣＡＮＡＤＡ８」）。データは、場所について指定された特定のノード番号を備え得る（たとえば、「ノード３」）。データは、測定装置のＩＤ（たとえば、装置と関連する回路遮断器の識別番号）を備え得る。データはまた、データが測定デバイスによって測定された時間を示す、時間タグを付され得る。ＰＭＵ／ＳＣＡＤＡベースの装置データはまた、たとえば、特定の測定デバイスに関する情報（たとえば、そこから測定値がとられたＰＭＵを識別するＰＭＵ  ＩＤ）を含み得る。
【００４２】
例示的実施形態では、リポジトリ４３０に記憶されたデータは、様々な測定デバイス３０２1〜Nからの収集されたおよび測定されたデータのみを備え得るのではなく、データはまた、収集されたおよび測定されたデータから導出されたデータを備え得る。導出されたデータは、トポロジデータ（たとえば、ＰＭＵ／ＳＣＡＤＡベースのトポロジデータ）、事象データ、事象分析データなどを備え得る。
【００４３】
例示的実施形態では、リポジトリ４３０は、送電網システム２００のトポロジを示すトポロジデータ（たとえば、ＰＭＵ／ＳＣＡＤＡベースのトポロジデータ）を含み得る。送電網システムのトポロジは、発電機、変圧器、母線、送電線、およびロードなど、電力システム構成要素の間の相互接続に関係し得る。このトポロジは、ネットワーク内の接続状況を維持する責任を有する切替え構成要素の状況を判定することによって、取得され得る。切替え構成要素は、電力システムネットワークの残りの部分にまたはそこから任意の電力システム構成要素（たとえば、ユニット、ライン、変圧器など）を接続する（または接続を切る）ために使用される回路遮断器でもよい。トポロジ判定の通常の方法は、それらのデバイス（たとえば、ＲＴＵ、ＳＣＡＤＡ、ＰＭＵ）と関連する測定デバイスおよび構成要素を使用して行われ得る、回路遮断器状況の監視により得る。それは、どの装置が非稼働になったか、および実際には、その装置が非稼働になったことを理由としてどの回路遮断器が開かれたまたは閉じられたかに関して判定され得る。トポロジデータは、送電網システム内のデバイスの配列（たとえば、放射状、ツリーなどの構造的トポロジ）または電力状況を示し得る。１つまたは複数の測定デバイス３０２を起源とする接続性情報または切替え動作情報が、トポロジデータを生成するために使用され得る。トポロジデータは、送電網システム内のデバイスの場所、送電網システム内のデバイスの接続状況、または送電網システム内のデバイス（たとえば、変圧器および遮断器など、送電網システム全体にわたり分散された電力を受信または処理するデバイス）の接続状態に基づき得る。たとえば、トポロジデータは、デバイスがどこに位置するか、および送電網システム内のどのデバイスが送電網システム内の他のデバイスに接続されるか（たとえば、送電網システム内のデバイスがどこで接続されるかなど）、または、送電網システム内のどのデバイスが電動グリッド接続と関連するかを示し得る。トポロジデータはさらに、送電網システムにおける電力配送を円滑化するデバイス（たとえば、変圧器など）の接続状況、および、送電網システム内のデバイスと関連する切替え動作の状況（たとえば、送電網システム内の１つまたは複数のデバイスを接続するまたは接続を切ることによって送電網システムの一部を中断する、通電するもしくは電力を断つまたは接続するもしくは接続を切るための動作）（たとえば、送電網システム内のデバイスと関連する１つまたは複数のスイッチを開くまたは閉じる、送電網システム内のデバイスと関連する１つまたは複数の送電線を接続するまたは接続を切るなど）を備え得る。さらに、トポロジデータは、送電網システム内のデバイスの接続状態（たとえば、接続ポイントに基づく、バスに基づくなど）を提供することができる。
【００４４】
例示的実施形態では、リポジトリ４３０は、ＰＭＵデータ、およびいくつかの実施形態では他のデータ（たとえば、ＳＣＡＤＡデータ、他の測定データなど）にも同様に基づいて導出され得る、様々な事象および事象分析データを含み得る。データは、送電網システム２００に関係する事象に関する情報を備え得る。妨害事象は、たとえば、送電網システムへの１つまたは複数の妨害を備え得る。妨害は、たとえば、ライン妨害（たとえば、ラインイン、またはラインアウト）、ユニット妨害（たとえば、ユニットインまたはユニットアウト）、あるいはロード妨害（ロードインまたはロードアウト）を備え得る。各事象について、その事象が生じたステーション、そのステーションに関連する電圧レベル（たとえば、５００ｋＶ）、その事象に関係するノード番号、その事象に関係する装置、実および無効電力の変化、その事象のユニットごとの電圧の変化（たとえば、ｐ．ｕ．）などの関連情報。
【００４５】
リポジトリ４３０のデータは、シンクロフェーザ関係のアプリケーション（図示せず）など、ＳＣＡＤＡ構成要素４２０、ＰＤＣ４４０、ＥＭＳ４２５、ＷＡＭＳ４４５、または他のシステムによってアクセスされ得る。例示的実施形態では、ＷＡＭＳ構成要素４４５は、命令を１つまたは複数の他のシステム（たとえば、ＳＣＡＤＡ構成要素４２０、ＰＤＣ４４０、ＥＭＳ４２５）に送って、リポジトリ４３０に記憶されたデータを取得し、それをそのようなデータを使用する他のアプリケーションへのＷＡＭＳ構成要素４４５に提供するように動作可能になり得る。他の実施形態では、ＷＡＭＳ４４５は、直接にリポジトリ４３０に記憶されたデータの取得を円滑化することができる。
【００４６】
ＷＡＭＳおよびＷＡＭＳ関連アプリケーション（たとえば、ＰＭＵベースの測定データに使用する構成要素およびアプリケーション）などのシンクロフェーザベースのシステムは、次世代のＥＭＳおよびＳＣＡＤＡシステムと見なすことができるので、オペレータは、制御室環境の従来のＳＣＡＤＡより何倍か速いデータに基づいて監視および動作し得るこれらのシステムの訓練を受け、それに慣れる必要がある。例示的訓練環境（たとえば、独立型ＷＡＭＳ訓練環境）では、シミュレーションされる事象（たとえば、計画停電、故障、および天災）を表すデータが、インストラクタによって作成され得る。シミュレーションされる事象を表すデータは、一時的シミュレーションエンジン（たとえば、ＴＳＡＴ、Ｐｏｗｅｒｔｅｃｈ  Ｌａｂｓ  Ｉｎｃ．の市販のアプリケーション）によって生成され得、ＷＡＭＳまたはＷＡＭＳ関連アプリケーション（たとえば、ＰｈａｓｏｒＰｏｉｎｔ、Ｇｅｎｅｒａｌ  Ｅｌｅｃｔｒｉｃの市販のアプリケーション）に供給され得る。しかしながら、この独立型訓練環境では、インストラクタ（またはトレーナ）は、シミュレーションが実行し始めた後は、事象アサーションを制御することはできない。履歴事象再生を含むもう１つの例示的訓練環境では、ＷＡＭＳおよびＷＡＭＳ関連アプリケーション（たとえば、ＰｈａｓｏｒＰｏｉｎｔ、Ｇｅｎｅｒａｌ  Ｅｌｅｃｔｒｉｃの市販のアプリケーション）は、興味のある極めて重要な事象キャプチャを取得し、ＷＡＭＳおよびＷＡＭＳ関連アプリケーションを介して事象を再生してオペレータのための表示を再構成することができる。この履歴事象再生環境（たとえば、現地からキャプチャされたＰＭＵ測定値に基づく表示の再生）では、トレーナはまた、妨害または電力システム事象をモデル化または導入することができない。
【００４７】
したがって、本願のシステムおよび方法は、「ｗｈａｔ−ｉｆ」シナリオをトレーナが実施すること（たとえば、ランタイムにシミュレーションされる妨害の導入を可能にする）およびシミュレーションされた環境での研究を可能にし、従来の（たとえば、定常状態）データおよびＰＭＵベースの（たとえば、動的）データの両方の様々な可視化を可能にするために、シンクロフェーザアプリケーション機能を有する動的ディスパッチャ訓練システムを提供することができる。
【００４８】
例示的動的ディスパッチャ訓練シミュレータ５００（ＤＤＴＳ５００）の図である、図５に移動する。ＤＤＴＳ５００の態様は、１つまたは複数の機械において実施された（たとえば、１つまたは複数の機械と関連する１つまたは複数のコンピュータ可読媒体において実施形態された）機械実行可能な１つまたは複数の構成要素を構成し得る。そのような構成要素は、１つまたは複数の機械（たとえば、コンピュータ、コンピューティングデバイス、仮想機械など）によって実行されるときに、本明細書に記載された動作を１つまたは複数の機械に実行させることができる。一態様において、ＤＤＴＳ５００は、コンピュータ実行可能構成要素および命令を記憶するための１つまたは複数のメモリを備え得る。ＤＤＴＳ５００はさらに、ＤＤＴＳ５００によって命令（たとえば、コンピュータ実行可能構成要素および命令）の動作を円滑化するためのプロセッサを備え得る。いくつかの例示的実施形態では、ＤＤＴＳ５００は、本明細書に記載されるような動作のパフォーマンスを向上させるためのいくつかのモジュールを備え得る。他の例示的実施形態では、ＤＤＴＳ５００構成要素は、本明細書に記載されるような動作のパフォーマンスを向上させることができる１つのモジュールであることもある（またはそのように見なすことができる）。
【００４９】
本開示の態様によれば、ＤＤＴＳ５００は、より有効な訓練プログラムに役立ち得る、ＥＭＳおよびＳＣＡＤＡなど、従来の構成要素とともにシンクロフェーザアプリケーションでオペレータの習熟を円滑化するための統合訓練環境を提供し得る。ＤＤＴＳ５００は、シンクロフェーザアプリケーション（たとえば、振動安定度監視、妨害検出および特性評価、アイランディングなど）を動作させる合成測定データ（シンクロフェーザデータを備え得る）を生成することができる一時的シミュレーション構成要素（たとえば、使用可能な市販の一時的シミュレーションエンジンの例は、ＰｏｗｅｒＴｅｃｈ  ＴＳＡＴである）を使用して動的シミュレーションをトリガするために動作可能になり得る。合成シンクロフェーザ測定データ（たとえば、ＰＭＵベースのデータ）の生成は、従来のＥＭＳ構成要素（たとえば、状態推定、偶然性分析などのアプリケーション）内の定常状態アプリケーションに電力を供給する、従来のディスパッチャ訓練シミュレータと密接に同期して実行され得る。結果が数秒ごと（通常は、４秒ごと）に実行する電力潮流計算から得られる従来のディスパッチャ訓練シミュレータとは対照的に、ＤＤＴＳ５００は、１秒未満のデータを生み出すように動作可能になり得る。シミュレーションされた入力事象に基づいてＰＭＵデータを生み出すように動作可能になり得るＤＤＴＳ５００は、１０ｍｓほどの小さい統合ステップサイズを有する真の時間領域、動的シミュレーションを可能にし得る。そのような高速の動的シミュレーションは、ＤＤＴＳ５００がＰＭＵ解（たとえば、毎秒３０から６０サンプル）で結果を生み出すのを容易にする。例示的実施形態では、ＤＤＴＳ５００が、その業界標準を忠実に守る任意のフェーザデータ集線装置（ＰＤＣ）と互換性を有し得るように、ＤＤＴＳ５００はまた、ＩＥＥＥ標準Ｃ３７．１１８フォーマットでＰＭＵデータを生み出すように動作可能になり得る。１秒未満のシミュレーション結果は、次いで、高度ＥＭＳアプリケーションおよびＳＣＡＤＡシステムに加えて、両方の新世代のシンクロフェーザアプリケーションにブロードキャストされ得る。したがって、ＤＤＴＳ５００のシミュレーション結果は、実際の現地測定値および実際の事象により密接に合致またはそれらをシミュレーションすることができる。
【００５０】
ＤＤＴＳ５００は、事象挿入構成要素５０５を備え得る。例示的実施形態では、トレーナ（インストラクタ、またはデモンストレータとも称される）でもよい第１のユーザＩＤは、シミュレーションされた妨害事象を挿入することによって、訓練を目的とする「ｗｈａｔ−ｉｆ」シナリオを作成することができる。たとえば、トレーナは、リアルタイムで起こったかのようにシステム内の妨害を反映するその関連測定値または計算された結果とともに送電網システムの変電所の場所（たとえば、ノード）、送電網システムの装置（たとえば、生成ユニット、変圧器、ロード、ライン）を示すマップを見ることができる。いくつかの妨害を備え得る妨害事象をシミュレーションするために、事象挿入構成要素５０５は、トレーナがより多数の妨害のうちの１つをシステムに挿入（または入力）することを可能にするように動作可能になり得る。たとえば、トレーナは、一連の電力線を破壊したツリーにつながった暴風雨をシミュレーションして、ある特定の場所におけるライン機能停止を作成するために、事象挿入構成要素を使用することができる。もう１つの例として、トレーナは、非稼働と見なされ、次いで稼働を再開する変圧器をシミュレーションすることができる。
【００５１】
いくつかのシナリオでは、周波数警報が生成される結果をもたらし、ラインは機能しなくなった可能性があり、ラインに接続された遮断器は開いたという指示があり得るが、実際には、仲介する発電機が機能しなくなった。他の場合には、警報は、ユーザＩＤ（たとえば、電力システムオペレータ）が実装した高い／低い設定に応じて決まり得る。ユーザが、適切に設定を構成しなかった場合、警報は生成され得るが、トポロジとの相関関係は、心配することはないこと（たとえば、誤検知）を示し得る。データ品質の問題はまた、誤検知につながり得る。
【００５２】
インストラクタは、訓練における動作が反応し得る大量のシナリオを提示することができ得る。事象挿入構成要素５０５は、第２のユーザＩＤ（たとえば、訓練生）が、シミュレーションされた第１の妨害にまだ反応および応答している可能性があっても、トレーナからの入力を受信し続けることができる。したがって、トレーナは、ランタイム（たとえば、訓練ルーチンが実行している期間）内に事象の挿入をモデル化および制御することができる。
【００５３】
事象アサーションの後、ＤＤＴＳ５００は、一時的シミュレーションエンジン構成要素５１０（たとえば、使用可能な市販の一時的シミュレーションエンジンの一例は、ＰｏｗｅｒＴｅｃｈ  ＴＳＡＴである）によって受信される信号を生成することができる。その信号は、トレーナによって選ばれた妨害事象を反映する情報を含み得、この情報は、出力するために、シミュレーションされたシンクロフェーザデータ（たとえば、Ｃ３７．１１８準拠データ）の内容に関する決定を行うために、一時的シミュレーションエンジン構成要素５１０によって使用され得る。したがって、一時的シミュレーションエンジン構成要素５１０は、トレーナによって選択された訓練シナリオと一致するＰＭＵデータを生成することができる。したがって、ライン機能停止について、シミュレーションエンジン構成要素５１０は、ライン機能停止と一致するシミュレーションされたシンクロフェーザデータ出力を生成することができる。
【００５４】
一時的シミュレーションエンジン構成要素５１０からのシミュレーションされたシンクロフェーザデータ出力は、ＰＤＣ機能もまた有し得るＷＡＭＳ構成要素（たとえば、ＷＡＭＳ構成要素４４５）に供給され得る。訓練環境では、ＷＡＭＳ構成要素４４５（ならびに、訓練中に呼び出される他の構成要素）は、訓練を目的として訓練サーバに存在し得るが、実際の非訓練環境では、ＷＡＭＳ構成要素４４５は、実際の制御室システムのために働き、一時的シミュレーションエンジン構成要素５１０に結合される代わりに、現地のＰＭＵに結合され得る。
【００５５】
さらに図５を参照すると、一時的シミュレーションエンジンからシンクロフェーザデータを受信した後、ＷＡＭＳ構成要素４４５は、受信されたシンクロフェーザデータに基づいて警告アクションを実行することができる。警告アクションは、視覚的および聴覚的警告を含み得る。聴覚的警告は、ビープ音、発信音、または、ディスパッチャ（たとえば、オペレータ）に聞こえる他のサウンドでもよい。訓練サーバＷＡＭＳ４４５のグラフィカルユーザインターフェースは、波形、ノードを有するマップ、トポロジのデータ、視覚的警告などを含む、シンクロフェーザデータに基づいて情報を表示するように動作可能になり得る。
【００５６】
一例として、トレーナによって事象挿入構成要素５０５に導入される妨害が、ユニットアウト妨害を備える場合、ＷＡＭＳは、ユニットアウト妨害に関連するＰＭＵベースの周波数警報である警報を生成するように動作可能になり得る（前述のように、ラインイン／アウト妨害は、通常は、角度妨害警報の生成をもたらし、ユニットイン／アウト妨害は、通常は、周波数妨害警報の生成をもたらし、ロードイン／アウト妨害は、通常は、周波数妨害警報の生成をもたらす）。同様に、妨害がラインアウト（たとえば、ライン機能停止）である場合、相関するＰＭＵベースの警報は、角度妨害警報になるはずである。
【００５７】
さらに図５を参照すると、訓練環境において、ＷＡＭＳ４４５は、ＰＭＵベースのデータを使用する他のクライアントアプリケーション（ＷＡＭＳ４４５の部分であるモジュール、または別個のモジュールでもよい）と関連付けられ得る。
【００５８】
例示的実施形態では、ＷＡＭＳ４４５は、ダウンサンプリングされ、ＥＭＳまたはＳＣＡＤＡアプリケーション（たとえば、ＥＭＳ４２５、ＳＣＡＤＡ構成要素４２０）および動的セキュリティアセスメント（ＤＳＡ）ツール５１５にも送られるデータを出力するように動作可能になり得、そこにおいて、ＤＳＡツールは、適切なセキュリティが維持されることを確保するために、送電網システムのスナップショットが撮られることと、自動制御を呼び出すまたはオペレータが必要な保護アクションをとることを可能にする十分な速度でリアルタイムに近いセキュリティ分析が実行されることを可能にし得る。今日使用されるＤＳＡシステムは、一時的セキュリティ、電圧セキュリティ、および小信号セキュリティを評価する能力を有し得る。
【００５９】
ＰＭＵベースのアプリケーション、従来のＳＣＡＤＡベースのアプリケーション、およびハイブリッド／統合アプリケーション（たとえば、ＳＣＡＤＡおよびＰＭＵベースのデータの両方を使用する）の出力は、１つまたは複数の表示（たとえば、ＰＭＵベースのアプリケーション表示５２０、ＳＣＡＤＡベースのアプリケーション表示５２５、およびハイブリッドアプリケーション表示５３０）に出力され得る。１つまたは複数の表示は、訓練中にオペレータによって見られ得る。オペレータは、シミュレーション（たとえば、ランタイム）の間の事象入力を含む、オペレータによる事象入力を反映し得る、表示された情報に応答し得る。
【００６０】
したがって、ＤＤＴＳを介して行われるまたは導入される変更（遮断器が開くことなど）は、シンクロフェーザアプリケーションの動的サイドに反映される。さらに、事象が導入されるとき、変化は、ＳＣＡＤＡベースのＥＭＳおよびＰＭＵベースのＷＡＭＳの両方で観測可能である。この方法で、シンクロフェーザアプリケーション（すなわち、オペレータが訓練を受けている新しいアプリケーション）を介してオペレータに提示される結果は、ＥＭＳアプリケーション（すなわち、オペレータが現在精通しているより従来型のアプリケーション）内に提示されるものとより完全に同期し得る。一例として、警報および複合事象が、統合警報アプリケーションによって使用され得、オペレータは、画面を切り替える必要はない。そのようなものとして、ＤＤＴＳは、制御室における動作環境をより完全に再現し、訓練生がリアルタイムでシステムの応答の路線を変更することを可能にする。
【００６１】
例示的実施形態では、ＤＤＴＳ５００は、ＳＣＡＤＡ構成要素（たとえば、ＳＣＡＤＡ構成要素４２０）への高分解能測定値のストリーミングを可能にし得る。ＤＤＴＳ５００は、「低速モード」、ならびに「高速モード」で動作する能力を有し得る。低速モードでは、事象挿入構成要素は、高速シミュレーションエンジン（たとえば、ＰＭＵベースのシミュレーションデータ生成構成要素）を動作させ、ＥＭＳサイドにおけるネットワーク変更と同期させ続けることに加えて、電力潮流ベースのシミュレーション結果（たとえば、シミュレーションされた定常状態電力潮流データ）をＳＣＡＤＡ構成要素に送る（たとえば、定常状態の非ＰＭＵベースの測定値を表すシミュレーションされた結果／データを提供し得る電力潮流シミュレーション構成要素５３５を介して）ことができる。高速モードのとき、ＤＤＴＳ５００は、高速エンジンから取得されたバス電圧および周波数に基づいて状態計算のパフォーマンスを可能にする。ＳＣＡＤＡの計算および更新の本方法は、高速過渡電流および不均一な周波数効果が、ＳＣＡＤＡサイドで、およびシミュレーション環境において任意のダウンストリームＥＭＳアプリケーションで観測可能であることを確保する。
【００６２】
例示的実施形態では、ＤＤＴＳ５００は、それに新しいシンクロフェーザ機能を追加しながら、使用可能な機能（たとえば、シミュレーションされた事象を表す事前に準備されたデータを使用する独立型訓練環境、履歴事象再生）を活用することができる。したがって、ＤＤＴＳ５００は、従来のＥＭＳアプリケーションのデータおよび訓練環境と、高速、シンクロフェーザデータと連動することができる高度ＥＭＳおよびＷＡＭＳアプリケーションとを提供する、統合シミュレーション環境を提供することができる。
【００６３】
図６はＤＤＴＳ５００を備える１つまたは複数の構成要素を含む、ＤＤＴＳ５００によって実行され得る方法を説明する。前述のように、ＤＤＴＳ５００は、コンピュータ実行可能構成要素および命令を記憶するためのメモリを備える１つまたは複数の機械でもよい。ＤＤＴＳ５００はさらに、図６に記載された方法を実行するための命令（たとえば、コンピュータ実行可能構成要素および命令）の動作を円滑化するための１つまたは複数のプロセッサを備え得る。
【００６４】
図６を参照すると、ステップ６０５で、「ｗｈａｔ  ｉｆ」シナリオを表す、１つまたは複数の入力が、受信され得る。入力は、事象挿入構成要素（たとえば、事象挿入構成要素５０５）によって受信され得る。入力は、トレーナ、インストラクタ、またはデモンストレータと称され得る、第１のユーザＩＤによってシステムに入力され得る。入力は、グリッドへの１つまたは複数の妨害（たとえば、ラインアウト、ユニットアウト、ロードアウト妨害）を備え得る、妨害事象を表し得る。例として、トレーナは、一連の電力線を破壊したツリーにつながった暴風雨をシミュレーションし、ある特定の場所におけるラインアウトを作成するために、事象挿入構成要素を使用することができ、あるいは、トレーナは、非稼働と見なされた変圧器をシミュレーションし、次いで、稼働を再開させることができる。事象の挿入は、第２のユーザＩＤ（たとえば、訓練生）が、シミュレーションされた第１の妨害にまだ反応および応答していても、継続することができる。したがって、トレーナは、ランタイムに事象の挿入をモデル化および制御することができる。
【００６５】
さらに図６で、本方法は、ステップ６１０へと続き得、そこにおいて、ステップ６１０における事象入力に基づいて、出力信号が、生成および受信され得る。出力信号は、事象挿入構成要素（たとえば、事象挿入構成要素５０５）によって生成され得、出力信号は、一時的シミュレーションエンジン構成要素（たとえば、一時的シミュレーションエンジン構成要素５１０）によって受信され得る。出力信号は、トレーナによって選択された妨害事象を反映する情報を含み得る。
【００６６】
ステップ６１５で、出力信号に含まれる情報は、出力する（たとえば、シミュレーションされたシンクロフェーザデータの内容に関して決定を行って出力する、または、出力されることになるシミュレーションされたシンクロフェーザデータを構成する）ためのシミュレーションされたシンクロフェーザデータ（たとえば、Ｃ３７．１１８準拠データ）を決定するために、一時的シミュレーションエンジン構成要素（たとえば、一時的シミュレーションエンジン構成要素５１０）によって使用され得る。
【００６７】
ステップ６２０で、本方法は、シミュレーションされたシンクロフェーザデータを出力するステップ（たとえば、一時的シミュレーションエンジン５１０によって出力するステップ）を含み得る。一時的シミュレーションエンジン構成要素５１０は、トレーナによって選択された訓練シナリオと一致するＰＭＵデータを生成することができる。したがって、一例として、ライン機能停止について、シミュレーションエンジン構成要素５１０は、ライン機能停止と一致するまたはライン機能停止を表すシミュレーションされたシンクロフェーザデータ出力を生成することができる。
【００６８】
ステップ６２５で、出力されたシミュレーションされたシンクロフェーザデータが、受信され得る。それは、ＰＤＣ機能も有し得るＷＡＭＳ構成要素（たとえば、ＷＡＭＳ構成要素４４５）によって受信され得る。ＷＡＭＳ構成要素は、訓練サーバに存在し得る。訓練環境では、ＷＡＭＳ構成要素（ならびに、訓練中に呼び出される他の構成要素）は、訓練を目的として訓練サーバに存在し得るが、実際の非訓練環境では、ＷＡＭＳ構成要素は、実際の送電網システムのために働き、一時的シミュレーションエンジン構成要素に結合される代わりに、現地のＰＭＵに結合され得る。
【００６９】
ステップ６３０で、動作は、ダウンサンプリングされたデータを出力するステップを備え得る。本出力は、ＥＭＳ（たとえば、ＥＭＳ４２０）およびＳＣＡＤＡ（たとえば、ＳＣＡＤＡ４２０）によって使用するために、ならびにＤＳＡ５１５によって使用するために、ＷＡＭＳ（たとえば、ＷＡＭＳ構成要素４４５）によって実行され得る。
【００７０】
ステップ６３５で、可視化が、第２のユーザＩＤ（たとえば、訓練中のオペレータ、訓練中のディスパッチャ、訓練生）に提示され得る。可視化は、ＳＣＡＤＡ−データベースのアプリケーション、ＰＭＵ−データベースのアプリケーション、そしてまたハイブリッドアプリケーション（たとえば、ＳＣＡＤＡ−データおよびＰＭＵ−データの両方を使用するそれらのアプリケーション）などのアプリケーションからの出力として提示され得る。オペレータは、シミュレーション（たとえば、ランタイム）の間の事象入力を含む、オペレータによる事象入力を反映し得る、表示された情報に応答し得る。
【００７１】
したがって、トレーナによってＤＤＴＳを介して行われるまたは導入される変更は、ＳＣＡＤＡベースのＥＭＳおよびＰＭＵベースのＷＡＭＳアプリケーションの両方で観測可能になり得る。この方法で、シンクロフェーザアプリケーション（すなわち、オペレータが訓練を受けている新しいアプリケーション）を介してオペレータに提示される結果は、ＥＭＳアプリケーション（すなわち、オペレータが現在精通している、より従来型のアプリケーション）内で提示されるものとより完全に同期し得る。
【００７２】
前述の例示的システムを考慮して、開示される主題に従って実装され得る例示的方法は、図７〜９に示すフローチャートを参照してより深く理解され得る。説明を簡潔にするために、本明細書で開示される例示的方法は、一連の活動として提示および説明されるが、いくつかの活動は、本明細書で示されるおよび説明されるものとは異なる順番でまたは他の活動と同時に生じ得るので、本特許請求される主題は、その活動の順番によって限定されないことを理解されたい。たとえば、本明細書で開示される１つまたは複数の例示的方法は、別法として、状態図にあるような、一連の相互に関係のある状態または事象として表され得る。さらに、相互作用図は、異種エンティティが本方法の異種部分を規定するときの本開示の主題による方法を表し得る。さらに、示されたすべての活動が、本明細書による記載された例示的方法を実装するために必要とされる訳ではない。さらに、開示される例示的方法のうちの２つ以上が、本明細書に記載の１つまたは複数の態様を達成するために、互いに組み合わせて実装され得る。本明細書を介して開示される例示的方法は、プロセッサによって実行しそれによって実装するためにあるいはメモリに記憶するためにコンピュータにそのような方法を移送および転送することを可能にするために、製品（たとえば、コンピュータ可読媒体）に記憶することが可能であることをさらに理解されたい。
【００７３】
図７を参照すると、非限定的実施形態（例示的実施形態とも称される）において、システムは、プロセッサと、プロセッサによって実行されるときに、動作のパフォーマンスを向上させる（たとえば、方法を実行する）、またはプロセッサを備えるデバイスに動作を実行させることができる、実行可能命令（たとえば、機械可読記憶媒体に記憶された）を記憶するメモリとを備える。そのようなシステムの一例は、図１０において以下で説明されるコンピュータ１０１２、または、図１１において以下で説明されるクライアント１１１０でもよい。
【００７４】
ステップ７０５では、動作は、ディスパッチャ訓練ルーチンが実行しているランタイムの間にユーザＩＤ（たとえば、トレーナ、インストラクタ、デモンストレータなど）に関連する第１の入力を受信するステップを備え得、第１の入力は、電力システム（たとえば、送電網システム）へのシミュレーションされる妨害（たとえば、ラインイン／アウト、ユニットイン／アウト、ロードイン／アウトなど）を示す妨害事象を表す。入力は、たとえば、事象挿入構成要素５０５によって、受信され得る。第１の入力は、第２のユーザＩＤ（たとえば、訓練生、訓練中のディスパッチャ、訓練中のオペレータ）に提示される「ｗｈａｔ  ｉｆ」シナリオを表し得る。
【００７５】
ステップ７１０で、動作は、第１の入力に基づいて、シミュレーションされたフェーザ測定ユニットデータの受信に応答して警報の表示を円滑化する広域監視システム（たとえば、広域管理システム、ＷＡＭＳ、ＷＡＭＳ構成要素４４５）に妨害事象を表すシミュレーションされたフェーザ測定ユニットデータ（たとえば、ＰＭＵ−データ）を一時的シミュレーションエンジン構成要素が出力することを可能にし、一時的シミュレーションエンジン構成要素（たとえば、一時的シミュレーションエンジン構成要素５１０）への信号の送信を円滑化するステップを備え得る。
【００７６】
ステップ７２０で、動作は、ランタイムの間にユーザＩＤに関連する第２の入力を受信するステップをさらに備え得、第２の入力は、システムによってシミュレーションされることになる電力システムに関係するシミュレーションされる状態を表す。
【００７７】
したがって、トレーナは、ランタイムにおける事象の挿入をモデル化および制御し得る。第２のユーザＩＤは、シミュレーション（たとえば、ランタイム）の間の事象入力を含む、オペレータによる事象入力を反映し得る、表示された情報（警報および他の情報を含み得る）に応答し得る。
【００７８】
さらに図７を参照すると、例示的実施形態では、シミュレーションされたフェーザ測定ユニットデータは、電力システムに関連する電気的パラメータを監視するフェーザ測定ユニットデバイス（たとえば、ＰＭＵ４３５）による出力をシミュレーションし、電気的パラメータの測定値を電力システムから繰り返し取得する。例示的実施形態では、広域監視システム（たとえば、ＷＡＭＳ４４５）は、電力システムの管理を円滑化するエネルギ管理システム構成要素（たとえば、ＥＭＳ４２５）によって使用されるダウンサンプリングされたデータセットとしてそのシミュレーションされたフェーザ測定ユニットデータを送信することができる。例示的実施形態では、広域監視システム（たとえば、ＷＡＭＳ４４５）は、電力配給関係の情報を獲得するおよび電気分配システム内の電力配給装置を制御するＳＣＡＤＡ構成要素（たとえば、ＳＣＡＤＡ構成要素４２０）によって使用されるダウンサンプリングされたデータセットとしてそのシミュレーションされたフェーザ測定ユニットデータを送信することができる。例示的実施形態では、広域監視システム（たとえば、ＷＡＭＳ４４５）は、電力システムのシステムセキュリティ関係の分析を実行する動的セキュリティアセスメントツール（たとえば、ＤＳＡツール５１５）でもよい、セキュリティアセスメントツールによって使用されるダウンサンプリングされたデータセットとしてそのシミュレーションされたフェーザ測定ユニットデータを送信することができる。
【００７９】
さらに図７を参照すると、警報は、電力システムに、より具体的には電力システム内の異なるノードに、関連する電圧の位相角度の差のフェーザ測定ユニットデバイスによる検出に応答して生成される角度妨害警報に関係し得る。警報はまた、電力システムに関連する周波数妨害または電力システムに関連する周波数の差のフェーザ測定ユニットデバイスによる検出に応答して生成される周波数妨害警報に関係し得る。警報に加えて、他の警告アクションが実行され得（たとえば、聴覚的警告）、他の情報が表示され得る。
【００８０】
さらに図７を参照すると、シミュレーションされたフェーザ測定ユニットデータの受信に応答した警報の表示は、管理制御および情報収集構成要素（たとえば、ＳＣＡＤＡ構成要素４２０）によって獲得される情報の表示と同時発生し得る。
【００８１】
さらに図７を参照すると、いくつかの例示的実施形態では、事象挿入構成要素（たとえば、事象挿入構成要素５０５）は、シミュレーションされた定常状態電力潮流結果（たとえば、シミュレーションされた定常状態電力潮流データ）が、電力配給関係の情報を獲得するおよび電気分配システム内の電力配給装置を制御するように動作可能な管理制御および情報収集構成要素（たとえば、ＳＣＡＤＡ構成要素４２０）に送られる、動作モード（たとえば、「低速モード」とも称される）で動作し得る。例示的実施形態では、第２の動作モード（たとえば、高速モード）のとき、バス電圧および高速エンジンから取得された周波数に基づく状態計算が、実行され得る。ＳＣＡＤＡの計算および更新の方法は、高速過渡電流および不均一な周波数効果が、ＳＣＡＤＡサイドで、およびシミュレーション環境における任意のダウンストリームＥＭＳアプリケーションで観測可能であることを確保する。
【００８２】
ここで図８を参照すると、非限定的実施形態（例示的実施形態とも称される）において、システムは、プロセッサと、プロセッサによって実行されるときに、動作のパフォーマンスを向上させる（たとえば、方法を実行する）、またはプロセッサを備えるデバイスに方法を実行させることができる、実行可能命令（たとえば、機械可読記憶媒体に記憶された）を記憶するメモリとを備える。そのようなシステムの一例は、図１０において以下で説明されるコンピュータ１０１２、または図１１において以下で説明されるクライアント１１１０でもよい。
【００８３】
ステップ８０５で、動作は、一時的シミュレーションエンジン構成要素（たとえば、一時的シミュレーション構成要素５１０）からシミュレーションされたフェーザ測定ユニットデータを受信するステップを備え得る。シミュレーションされたフェーザ測定ユニットデータ（たとえば、ＰＭＵデータ）は、ディスパッチャ訓練ルーチンが実行するランタイムの間に事象挿入構成要素と対話すると決定されたユーザＩＤ（たとえば、トレーナ、インストラクタ、デモンストレータなど）に関して受信された第１の入力に基づき得る。第１の入力は、電力システム（たとえば、送電網システム）へのシミュレーションされた妨害事象（たとえば、ラインアウト／イン、ユニットアウト／イン、ロードアウト／イン）を含むシナリオに関係し得る。シミュレーションされたフェーザ測定ユニットデータは、電力システムに関連する電気的パラメータを監視するおよび電力システムから電気的パラメータの測定値を繰り返し取得するフェーザ測定ユニットデバイス（たとえば、ＰＭＵ４３５）によって出力をシミュレーションするシミュレーションデータを備える。
【００８４】
ステップ８１０で、動作は、シミュレーションされたフェーザ測定ユニットデータを処理するステップを備え得る。
【００８５】
ステップ８１５で、動作は、シミュレーションされたフェーザ測定ユニットデータに基づいて警報を決定するステップを備え得る。
【００８６】
ステップ８２０で、動作は、グラフィカルユーザインターフェース（たとえば、ＧＵＩ）を介して表示するための警報を生成するステップを備え得る。
【００８７】
ステップ８２５で、動作は、ランタイムの間にシステムと対話するユーザＩＤに関する第２の入力を受信するステップを備え得、第２の入力は、システムによってシミュレーションされることになる電力システムに関係するシミュレーションされた状態を表す。
【００８８】
動作はさらに、シミュレーションされたフェーザ測定ユニットデータをダウンサンプリングされたデータセットとして送信するステップを備え得る。ダウンサンプリングされたデータセットは、電力システムの管理を円滑化するエネルギ管理システム構成要素（ＥＭＳ４２５）によって使用される。ダウンサンプリングされたデータセットはまた、電力配給関係の情報を獲得するおよび電気分配システム内の電力配給装置を制御する管理制御および情報収集構成要素（たとえば、ＳＣＡＤＡ構成要素４２０）によって使用され得る。ダウンサンプリングされたデータセットはまた、電力システムのシステムセキュリティ関係の分析を実行するセキュリティアセスメントツール（たとえば、ＤＳＡツール５１５）によって使用され得る。
【００８９】
さらに図８を参照すると、警報は、電力システムに、より具体的には電力システム内の異なるノードに、関連する電圧の位相角度の差のフェーザ測定ユニットデバイスによる検出に応答して生成される角度妨害警報に関係し得る。警報はまた、電力システムに関連する周波数妨害または電力システムに関連する周波数の差のフェーザ測定ユニットデバイスによる検出に応答して生成される周波数妨害警報に関係し得る。警報に加えて、他の警告アクションが実行され得（たとえば、聴覚的警告）、他の情報が表示され得る。
【００９０】
図９を参照すると、非限定的実施形態（例示的実施形態とも称される）において、デバイスは、プロセッサと、プロセッサによって実行されるときに動作のパフォーマンスを向上させる（たとえば、方法を実行する）、またはプロセッサを備えるデバイスに方法を実行させることができる、実行可能命令（たとえば、機械可読記憶媒体に記憶された）を記憶するメモリとを備える。
【００９１】
ステップ９０５で、本方法は、ディスパッチャ訓練ルーチンが実行しているランタイムの間にユーザＩＤからであると判定された第１の入力を、プロセッサを備えるシステムの事象挿入構成要素（たとえば、事象挿入構成要素５０５）によって、受信するステップを備え得、第１の入力は、電力システム（送電網システム）へのシミュレーションされる妨害を示す妨害事象を表す。例として、妨害事象は、ラインが電力システムから非稼働であるラインアウト妨害、電力生成ユニットが電力システムから非稼働であるユニットアウト妨害、またはロードが電力システムからの接続を切られたロードアウト妨害のうちの少なくとも１つを備え得る。
【００９２】
ステップ９１０で、本方法は、一時的シミュレーションエンジン構成要素（たとえば、一時的シミュレーションエンジン構成要素５１０）への第１の入力を表す信号の送信を事象挿入構成要素によって円滑化するステップを備え得、そこにおいて、一時的シミュレーションエンジン構成要素は、信号を処理し、その信号に基づいて、第１の入力を表す、そして電力システムに関連する電気的パラメータを監視するおよび電力システムから電気的パラメータの測定値を繰り返し取得するフェーザ測定ユニットデバイス（たとえば、ＰＭＵ４２５）によって出力をシミュレーションする、シミュレーションされたフェーザ測定ユニットデータ（たとえば、ＰＭＵデータ）を生成する。信号は、シミュレーションされたフェーザ測定ユニットデータを処理し、シミュレーションされたフェーザ測定ユニットデータに基づく警報の決定およびユーザインターフェース（たとえば、グラフィカルユーザインターフェース、ＧＵＩなど）を介して表示するための警報の生成を円滑化する、システムの広域管理システム構成要素（たとえば、広域監視システム、ＷＡＭＳ４４５）によって受信され得る。警報は、電力システムに、より具体的には電力システム内の異なるノードに、関連する電圧の位相角度の差のフェーザ測定ユニットデバイスによる検出に応答して生成される角度妨害警報に関係し得る。警報はまた、電力システムに関連する周波数妨害または電力システムに関連する周波数の差のフェーザ測定ユニットデバイスによる検出に応答して生成される周波数妨害警報に関係し得る。
【００９３】
ステップ９１５で、本方法は、ランタイムの間にユーザＩＤからであると判定された第２の入力を事象挿入構成要素によって受信するステップを備え得、第２の入力は、システムによってシミュレーションされることになる電力システムに関係するシミュレーションされた状態を表す。
【００９４】
開示される主題の様々な態様のコンテキストを提供するために、図１０、および以下の論考は、開示される主題の様々な態様が実装され得る適切な環境の簡潔な概要を提供することを意図している。本主題は、１つまたは複数のコンピュータで実行するコンピュータプログラムのコンピュータ実行可能命令との一般的関連において前述されたが、開示される主題はまた、他のプログラムモジュールと組み合わせて実装され得ることが、当業者には認められよう。一般に、プログラムモジュールは、特定のタスクを実行するまたは特定の抽象データタイプを実装するルーチン、プログラム、構成要素、データ構造物などを備える。
【００９５】
本明細書では、「ストア」、「ストレージ」、「データストア」、「データストレージ」、「データベース」などの用語、および構成要素の動作および機能に関するほぼあらゆる他の情報ストレージ構成要素は、「メモリ構成要素」、あるいは、「メモリ」またはメモリを備える構成要素において実施されたエンティティを指す。本明細書に記載のメモリ構成要素は、揮発性メモリまたは不揮発性メモリでもよく、あるいは、揮発性および不揮発性メモリの両方、限定ではなく例として、揮発性メモリ１０２０（以下を参照）、不揮発性メモリ１０２２（以下を参照）、ディスクストレージ１０２４（以下を参照）、およびメモリストレージ１０４６（以下を参照）、を備え得ることに留意されたい。さらに、不揮発性メモリは、読み取り専用メモリ、プログラム可能読み取り専用メモリ、電気的プログラム可能読み取り専用メモリ、電気的消去可能読み取り専用メモリ、フラッシュメモリ、またはソリッドステートメモリ（たとえば、ソリッドステートドライブ）を備え得る。揮発性メモリは、外部キャッシュメモリとして機能するランダムアクセスメモリを備え得る。例として、そして限定ではなく、ランダムアクセスメモリは、同期型ランダムアクセスメモリ、ダイナミックランダムアクセスメモリ、同期型ダイナミックランダムアクセスメモリ、ダブルデータレート同期型ダイナミックランダムアクセスメモリ、高度同期型ダイナミックランダムアクセスメモリ、同期リンクダイナミックランダムアクセスメモリ、およびダイレクトラムバスランダムアクセスメモリなどの多数の形式で使用可能である。加えて、本明細書のシステムまたは方法の開示されるメモリ構成要素は、これらに限定されることなく、これらのおよび任意の他の適切なタイプのメモリを備えることが意図されている。
【００９６】
さらに、開示される主題は、シングルプロセッサまたはマルチプロセッサコンピュータシステム、ミニコンピューティングデバイス、メインフレームコンピュータ、ならびにパーソナルコンピュータ、ハンドヘルドコンピューティングデバイス（たとえば、パーソナルデジタルアシスタント、電話、時計、タブレットコンピュータ、ネットブックコンピュータ、…）、マイクロプロセッサベースのまたはプログラム可能な家庭用電化製品または産業用電子機器などを含む、他のコンピュータシステム構成で実施され得ることに留意されたい。説明される態様はまた、タスクが、通信ネットワークを介してリンクされたリモート処理デバイスによって実行される、分散型コンピューティング環境において実施され得るが、本開示のすべてではなくてもいくつかの態様は、スタンドアロンコンピュータで実施され得る。分散型コンピューティング環境では、プログラムモジュールは、ローカルメモリストレージデバイスおよびリモートメモリストレージデバイスの両方に置かれ得る。
【００９７】
図１０は、例示的実施形態による開示されるシステムおよび方法を実行するように動作可能なコンピューティングシステム１０００のブロック図を示す。コンピュータ１０１２は、プロセッシングユニット１０１４、システムメモリ１０１６、およびシステムバス１０１８を備え得る。システムバス１０１８は、プロセッシングユニット１０１４にシステムメモリ１０１６を含むがこれに限定されないシステム構成要素を結合させる。プロセッシングユニット１０１４は、様々な使用可能なプロセッサのいずれかでもよい。デュアルマイクロプロセッサおよび他のマルチプロセッサアーキテクチャもまた、プロセッシングユニット１０１４として使用され得る。
【００９８】
システムバス１０１８は、メモリバスまたはメモリコントローラ、周辺バスまたは外部バス、あるいは、工業標準アーキテクチャ、マイクロチャネルアーキテクチャ、拡張工業標準アーキテクチャ、インテリジェントドライブエレクトロニクス、ビデオ電子機器規格協会ローカルバス、周辺構成要素相互接続、カードバス、ユニバーサルシリアルバス、高度グラフィックスポート、パーソナルコンピュータメモリカード国際協会バス、Ｆｉｒｅワイヤ（電気電子技術者協会１３９４）、および、スモールコンピュータシステムインターフェースを含むがこれらに限定されない、任意の様々な使用可能なバスアーキテクチャを使用する、ローカルバスを含む、いくつかのタイプのバス構造のいずれかでもよい。
【００９９】
システムメモリ１０１６は、揮発性メモリ１０２０および不揮発性メモリ１０２２を備え得る。起動中などのコンピュータ１０１２内の要素の間で情報を転送するためのルーチンを含む、基本入力／出力システムは、不揮発性メモリ１０２２に記憶され得る。例として、そして限定ではなく、不揮発性メモリ１０２２は、読み取り専用メモリ、プログラム可能読み取り専用メモリ、電気的にプログラム可能な読み取り専用メモリ、電気的消去可能読み取り専用メモリ、またはフラッシュメモリを備え得る。揮発性メモリ１０２０は、外部キャッシュメモリとして機能する読み取り専用メモリを備え得る。例として、そして限定ではなく、読み取り専用メモリは、同期型ランダムアクセスメモリ、動的読み取り専用メモリ、同期動的読み取り専用メモリ、ダブルデータレート同期動的読み取り専用メモリ、高度同期動的読み取り専用メモリ、同期リンク動的読み取り専用メモリ、ラムバス直接読み取り専用メモリ、ダイレクトラムバス動的読み取り専用メモリ、およびラムバス動的読み取り専用メモリなどの多数の形式で使用可能である。
【０１００】
コンピュータ１０１２はまた、取り外し可能／取り外し不能、揮発性／不揮発性コンピュータ記憶媒体を備え得る。図１０は、たとえば、ディスクストレージ１０２４を示す。ディスクストレージ１０２４は、磁気ディスクドライブ、フロッピディスクドライブ、テープドライブ、フラッシュメモリカード、またはメモリスティックのようなデバイスを備え得る。加えて、ディスクストレージ１０２４は、別個にまたは、コンパクトディスク読み取り専用メモリデバイス、コンパクトディスク記録可能ドライブ、ＣＤ−ＲＷドライブまたはデジタル多用途ディスク読み取り専用メモリなどの光ディスクドライブを含むがこれらに限定されない他の記憶媒体と組み合わせて記憶媒体を備え得る。システムバス１０１８へのディスクストレージデバイス１０２４の接続を円滑化するために、インターフェース１０２６などの取り外し可能または取り外し不能インターフェースが、通常は、使用される。
【０１０１】
コンピューティングデバイスは、通常は、２つの用語が、以下のように、互いに異なって本明細書で使用される、コンピュータ可読記憶媒体または通信媒体を備え得る、様々な媒体を備える。
【０１０２】
コンピュータ可読記憶媒体は、コンピュータによってアクセスされ得る、および揮発性および不揮発性媒体と取り外し可能および取り外し不能媒体との両方を備え得る、任意の使用可能な記憶媒体でもよい。例として、そして限定ではなく、コンピュータ可読記憶媒体は、コンピュータ可読命令、プログラムモジュール、構造化データ、または非構造化データなど、情報の記憶のための任意の方法または技術に関して実装され得る。コンピュータ可読記憶媒体は、読み取り専用メモリ、プログラム可能読み取り専用メモリ、電気的にプログラム可能な読み取り専用メモリ、電気的消去可能読み取り専用メモリ、フラッシュメモリまたは他のメモリ技術、コンパクトディスク読み取り専用メモリ、デジタル多用途ディスクまたは他の光ディスクストレージ、磁気カセット、磁気テープ、磁気ディスクストレージまたは他の磁気ストレージデバイス、あるいは、所望の情報を記憶するために使用され得る他の有形媒体を備え得るが、これらに限定されない。これに関して、本明細書で「有形」という用語は、ストレージ、メモリまたはコンピュータ可読媒体に適用され得、変更子として無形信号それ自体を単に伝搬することを除外すると理解されるべきであり、無形信号それ自体での単なる伝搬ではないすべての標準ストレージ、メモリまたはコンピュータ可読媒体の適用範囲を放棄しないことを理解されたい。一態様において、有形媒体は、非一時的媒体を備え得、本明細書では「非一時的」という用語は、ストレージ、メモリまたはコンピュータ可読媒体に適用され得、変更子として一時的信号それ自体を単に伝搬することを除外すると理解されるべきであり、一時的信号それ自体を単に伝搬するのではないすべての標準ストレージ、メモリまたはコンピュータ可読媒体の適用範囲を放棄しない。コンピュータ可読記憶媒体は、媒体によって記憶された情報に関する様々な動作のために、たとえば、アクセス要求、クエリまたは他のデータ検索プロトコルを介して、１つまたは複数のローカルまたはリモートコンピューティングデバイスによってアクセスされ得る。
【０１０３】
通信媒体は、通常は、変調されたデータ信号、たとえば、搬送波または他の移送機構、などのデータ信号においてコンピュータ可読命令、データ構造物、プログラムモジュールまたは他の構造化または非構造化データを実施し、任意の情報配送または移送媒体を備え得る。「変調されたデータ信号」という用語は、１つまたは複数の信号内の情報のエンコードなどの方式でセットまたは変更されたそれの特性のうちの１つまたは複数を有する信号を指す。例として、そして限定ではなく、通信媒体は、ワイヤードネットワークもしくは直接ワイヤード接続などのワイヤード媒体と、音波、ＲＦ、赤外線および他のワイヤレス媒体などのワイヤレス媒体とを備え得る。
【０１０４】
図１０は、ユーザと適切な動作環境１０００に記載されたコンピュータ資源との間の仲介として機能するソフトウェアを説明することに留意されたい。そのようなソフトウェアは、オペレーティングシステム１０２８を備え得る。ディスクストレージ１０２４に記憶され得るオペレーティングシステム１０２８は、コンピュータシステム１０１２の資源を制御するおよび割り当てるように動作する。システムアプリケーション１０３０は、システムメモリ１０１６またはディスクストレージ１０２４のいずれかに記憶されたプログラムモジュール１０３２およびプログラムデータ１０３４を介するオペレーティングシステム１０２８による資源の管理を活用する。開示される主題は、様々なオペレーティングシステムでまたはオペレーティングシステムの組合せで実装され得ることに留意されたい。
【０１０５】
ユーザは、入力デバイス１０３６を介してコンピュータ１０１２にコマンドまたは情報を入力することができる。一例として、ユーザインターフェースは、ユーザがコンピュータ１０１２と対話することを可能にするタッチセンサ式の表示パネルにおいて実施され得る。入力デバイス１０３６は、マウス、トラックボール、スタイラス、タッチパッド、キーボード、マイクロフォン、ジョイスティック、ゲームパッド、パラボラアンテナ、スキャナ、ＴＶチューナカード、デジタルカメラ、デジタルビデオカメラ、ウェブカメラ、携帯電話、スマートフォン、タブレットコンピュータなど、ポインティングデバイスを備え得る。これらのおよび他の入力デバイスは、インターフェースポート１０３８を経由してシステムバス１０１８を介してプロセッシングユニット１０１４に接続する。インターフェースポート１０３８は、たとえば、シリアルポート、パラレルポート、ゲームポート、ユニバーサルシリアルバス、赤外線ポート、Ｂｌｕｅｔｏｏｔｈ（登録商標）ポート、ＩＰポート、またはワイヤレスサービスに関連する論理ポートなどを備える。出力デバイス１０４０は、入力デバイス１０３６と同じタイプのポートのいくつかを使用する。
【０１０６】
したがって、たとえば、ユニバーサルシリアルバスポートは、コンピュータ１０１２に入力を提供するために、およびコンピュータ１０１２から出力デバイス１０４０に情報を出力するために、使用され得る。出力アダプタ１０４２は、特別なアダプタを使用する、数ある出力デバイス１０４０の中でも、モニタ、スピーカ、およびプリンタのようないくつかの出力デバイス１０４０が存在すること説明するために提供される。出力アダプタ１０４２は、例として、そして限定ではなく、出力デバイス１０４０とシステムバス１０１８との間の接続の手段を提供する、ビデオおよびサウンドカードを備える。他のデバイスまたはデバイスのシステムは、リモートコンピュータ１０４４など、入力機能および出力機能の両方を提供することに留意されたい。
【０１０７】
コンピュータ１０１２は、リモートコンピュータ１０４４などの１つまたは複数のリモートコンピュータへの論理接続を使用するネットワーク化された環境において動作し得る。リモートコンピュータ１０４４は、パーソナルコンピュータ、サーバ、ルータ、ネットワークＰＣ、クラウドストレージ、クラウドサービス、ワークステーション、マイクロプロセッサベースのアプライアンス、ピアデバイス、または他の共通のネットワークノードなどでもよく、通常は、コンピュータ１０１２に関して説明された要素のうちの多数またはすべてを備え得る。
【０１０８】
簡潔にすることを目的として、メモリストレージデバイス１０４６のみが、リモートコンピュータ１０４４と図示される。リモートコンピュータ１０４４は、ネットワークインターフェース１０４８を介してコンピュータ１０１２に論理的に接続され、次いで、通信接続１０５０を経由して物理的に接続される。ネットワークインターフェース１０４８は、ローカルエリアネットワークおよび広域ネットワークなど、ワイヤまたはワイヤレス通信ネットワークを包含する。ローカルエリアネットワーク技術は、ファイバ分散データインターフェース、銅分散データインターフェース、イーサネット（登録商標）、トークンリングなどを備え得る。広域ネットワーク技術は、２地点間リンク、総合デジタル通信網およびその変形形態のような回路交換網、パケット交換網、および、デジタル加入者回線を備え得る。以下に記述するように、ワイヤレス技術が、前述に加えて、または前述の代わりに、使用され得る。
【０１０９】
通信接続１０５０は、ネットワークインターフェース１０４８をバス１０１８に接続するために使用されるハードウェア／ソフトウェアを指す。通信接続１０５０は、説明を明確にするために、コンピュータ１０１２内部に示されるが、通信接続１０５０は、コンピュータ１０１２の外部にあってもよい。ネットワークインターフェース１０４８に接続するためのハードウェア／ソフトウェアは、たとえば、標準電話グレードモデム、ケーブルモデムおよびデジタル加入者回線モデム、総合デジタル通信網アダプタ、およびイーサネット（登録商標）カードを含む、モデムなどの内部および外部技術を備え得る。
【０１１０】
図１１は、本開示の主題が対話し得るサンプルコンピューティング環境１１００の略ブロック図である。システム１１００は、１つまたは複数のクライアント１１１０を備え得る。クライアント１１１０は、ハードウェアまたはソフトウェア（たとえば、スレッド、プロセス、コンピューティングデバイス）でもよい。システム１１００はまた、１つまたは複数のサーバ１１３０を備え得る。したがって、システム１１００は、数あるモデルの中でも、２層クライアントサーバモデルまたは多層モデル（たとえば、クライアント、中間層サーバ、データサーバ）に対応し得る。サーバ１１３０はまた、ハードウェアまたはソフトウェア（たとえば、スレッド、プロセス、コンピューティングデバイス）でもよい。サーバ１１３０は、たとえば、本開示を使用することによって変換を実行するためのスレッドを収容し得る。クライアント１１１０とサーバ１１３０との間の１つの起こり得る通信は、２つ以上のコンピュータプロセスの間で伝送されるデータパケットの形式でもよい。
【０１１１】
システム１１００は、クライアント１１１０とサーバ１１３０との間の通信を円滑化するために使用され得る通信フレームワーク１１５０を備え得る。クライアント１１１０は、クライアント１１１０にローカルに情報を記憶するために使用され得る１つまたは複数のクライアントデータストア１１２０に動作可能に接続される。同様に、サーバ１１３０は、サーバ１１３０にローカルに情報を記憶するために使用され得る１つまたは複数のサーバデータストア１１４０に動作可能に接続される。
【０１１２】
本開示の態様または特徴は、ほぼあらゆるワイヤードまたはワイヤレス通信技術において活用され得ることに留意されたい。ワイヤレス通信技術は、たとえば、ワイヤレス電気通信または無線技術、たとえば、Ｗｉ−Ｆｉ、Ｂｌｕｅｔｏｏｔｈ（登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、高度汎用パケット無線サービス（高度ＧＰＲＳ）、第３世代パートナシッププロジェクト（３ＧＰＰ）ロングタームエボリューション（ＬＴＥ）、第３世代パートナシッププロジェクト２（３ＧＰＰ２）ウルトラモバイルブロードバンド（ＵＭＢ）、３ＧＰＰユニバーサルモバイルテレコミュニケーションシステム（ＵＭＴＳ）、高速パケットアクセス（ＨＳＰＡ）、高速ダウンリンクパケットアクセス（ＨＳＤＰＡ）、高速アップリンクパケットアクセス（ＨＳＵＰＡ）、ＧＳＭ（登録商標）（モバイル通信のためのグローバルシステム）ＥＤＧＥ（ＧＳＭ（登録商標）エボリューションのための高度データレート）無線アクセスネットワーク（ＧＥＲＡＮ）、ＵＭＴＳ地上波無線アクセスネットワーク（ＵＴＲＡＮ）、ＬＴＥアドバンスト（ＬＴＥ−Ａ）などを備え得る。加えて、本明細書に記載される態様のうちのいくつかまたはすべては、レガシ電気通信技術、たとえば、ＧＳＭ（登録商標）、において活用され得る。加えて、モバイルならびに非モバイルネットワーク（たとえば、インターネット、インターネットプロトコルテレビジョン（ＩＰＴＶ）などのデータサービスネットワークなど）は、本明細書に記載の態様または特徴を活用し得る。
【０１１３】
本主題は、１つまたは複数のコンピュータで実行するコンピュータプログラムのコンピュータ実行可能命令との一般的関連において前述されたが、本開示はまた、他のプログラムモジュールと組み合わせて実装することができ、またはそのように実装されてもよいことが、当業者には理解されよう。一般に、プログラムモジュールは、特定のタスクを実行するまたは特定の抽象データタイプを実装するルーチン、プログラム、構成要素、データ構造物などを備え得る。さらに、本発明の方法は、シングルプロセッサまたはマルチプロセッサコンピュータシステム、ミニコンピューティングデバイス、メインフレームコンピュータ、ならびにパーソナルコンピュータ、ハンドヘルドコンピューティングデバイス（たとえば、ＰＤＡ、電話）、マイクロプロセッサベースのまたはプログラム可能な家庭用電化製品または産業用電子機器などを含む、他のコンピュータシステム構成と実施され得ることが当業者には理解されよう。説明される態様はまた、タスクが、通信ネットワークを介してリンクされたリモート処理デバイスによって実行される、分散型コンピューティング環境において実施され得る。しかしながら、本開示のすべてではなくてもいくつかの態様は、スタンドアロンコンピュータで実施され得る。分散型コンピューティング環境において、プログラムモジュールは、ローカルメモリストレージデバイスおよびリモートメモリストレージデバイスの両方に置かれ得る。
【０１１４】
要約書において説明されるものを含む、本開示の記載された実施形態の前述の説明は、包括的であることまたは開示された実施形態を開示された正確な形に制限することを意図されていない。特定の実施形態および例は、例示を目的として本明細書に記載されるが、そのような実施形態および例の範囲内にあると考えられる様々な修正形態が可能であることが、関連業者には理解されよう。
【０１１５】
これに関して、開示される主題は、適用可能な場合には、様々な実施形態および対応する図面に関して説明されるが、他の同様の実施形態が使用され得、あるいは、修正および追加が、開示される主題の同じ、同様の、代替えのまたは代用の機能を実行するために、そこから逸脱することなく、記載の実施形態に行われ得ることが理解されよう。したがって、開示される主題は、本明細書に記載された任意の単一の実施形態に限定されるべきではなく、以下の添付の特許請求の範囲による幅および範囲で解釈されるべきである。
【０１１６】
本明細書において、「プロセッサ」という用語は、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、パラレルプラットフォーム、および、分散共有メモリを有するパラレルプラットフォームを備えるがこれらに限定されない、ほぼあらゆるコンピューティングプロセッシングユニットまたはデバイスを指し得る。加えて、プロセッサは、集積回路、特定用途向け集積回路、デジタル信号プロセッサ、フィールドプログラマブルゲートアレイ、プログラマブルロジックコントローラ、複合プログラマブルロジックデバイス、離散的ゲートまたはトランジスタ論理回路、離散的ハードウェア構成要素、または、本明細書に記載の機能を実行するように設計されたその任意の組合せを指し得る。プロセッサは、空間利用法を最適化するまたはユーザ装置のパフォーマンスを向上させるために、分子および量子ドットベースのトランジスタ、スイッチ、およびゲートなどの、但しこれらに限定されない、ナノスケールアーキテクチャを活用し得る。プロセッサはまた、コンピューティングプロセッシングユニットの組合せとして実装され得る。
【０１１７】
本願では、「構成要素」、「システム」、「プラットフォーム」、「層」、「セレクタ」、「インターフェース」などの用語は、コンピュータ関連エンティティあるいは１つまたは複数の特定の機能を有する動作可能装置に関係するエンティティを指すことが意図されており、エンティティは、ハードウェア、ハードウェアおよびソフトウェアの組合せ、ソフトウェア、または実行中のソフトウェアのいずれかでもよい。一例として、構成要素は、プロセッサで実行するプロセス、プロセッサ、オブジェクト、実行ファイル、実行のスレッド、プログラム、またはコンピュータでもよいが、これらに限定されない。例として、そして限定ではなく、サーバで実行するアプリケーションとサーバとの両方は、構成要素になり得る。１つまたは複数の構成要素が、実行のプロセスまたはスレッド内に存在し得、構成要素は、１つのコンピュータに局在し得、または２つ以上のコンピュータの間で分散され得る。加えて、これらの構成要素は、そこに様々なデータ構造物が記憶された様々なコンピュータ可読媒体から実行し得る。構成要素は、１つまたは複数のデータパケットを有する信号によるなどするローカルまたはリモートプロセスを介して通信し得る（たとえば、ローカルシステム、分散システムにおいて、または信号を介して他のシステムとインターネットなどのネットワークを横切って、別の構成要素と対話する１つの構成要素からのデータ）。もう１つの例として、構成要素は、プロセッサによって実行されるソフトウェアまたはファームウェアアプリケーションによって動作させられる、電気または電子回路によって動作させられる機械部品によって提供される特定の機能を有する装置でもよく、プロセッサは、装置の内部または外部でもよく、ソフトウェアまたはファームウェアアプリケーションの少なくとも一部を実行する。さらにもう１つの例として、構成要素は、機械部品なしに電子構成要素を介して特定の機能性を提供する装置でもよく、電子構成要素は、電子構成要素の機能を少なくとも部分的に参照するソフトウェアまたはファームウェアを実行するために、そこにプロセッサを備え得る。
【０１１８】
加えて、「または」という用語は、排他的な「または」ではなくて、包括的な「または」を意味することが意図されている。すなわち、他に特に指定のない限り、または文脈から明らかでない限り、「Ｘが、ＡまたはＢを使用する」は、自然な包括的順列のいずれも意味することが意図されている。すなわち、ＸがＡを使用する、ＸがＢを使用する、あるいは、ＸがＡおよびＢの両方を使用する場合、そのとき、「ＸがＡまたはＢを使用する」は、前述の場合のいずれの下でも満たされる。さらに、本明細書および付属の図面において使用されるものとしての冠詞「ａ」および「ａｎ」は、単数形を対象とすることが他に特に指定されない限り、または文脈から明らかでない限り、「１つまたは複数の」を意味するものとして一般に解釈されるべきである。
【０１１９】
さらに、「含む」という用語は、閉じられたまたは排他的用語ではなくて、開かれたまたは包括的用語（たとえば、含むがこれらに限定されない）として使用されることが意図されている。「含む」という用語は、特に他の方法で明示的に使用されるのでない限り、「備える」という用語と置き換えることができ、同様の範囲で扱われることになる。一例として、「りんごを含むバスケット１杯分の果物」は、「りんごを備えるバスケット１杯分の果物」と同じ広さの範囲として扱われることになる。
【０１２０】
さらに、「ユーザ」、「加入者」、「顧客」、「オペレータ」、「スイッチマン」、「消費者」、「プロシューマ」、「エージェント」などの用語は、文脈が、数ある用語の中で特定の区別を保証しない限り、本明細書を通して同じ意味で使用される。そのような用語は、人間の存在、あるいは、シミュレートされた視覚、サウンド認識などを提供し得る自動化された構成要素（たとえば、複雑な数学的形式に基づいて推理を行うための能力を介するような、人工知能を介してサポートされる）を指し得ることを理解されたい。
【０１２１】
前述のものは、開示される主題を説明するシステムおよび方法の例を備え得る。もちろん、本明細書で構成要素または方法のあらゆる組合せを説明することは不可能である。特許請求される主題の多数のさらなる組合せおよび順列が起こり得ることが当業者には理解されよう。さらに、「含む」、「有する」、「所有する」などの用語が、詳細な説明、特許請求の範囲、付属書類、および図面において使用される限りにおいて、そのような用語は、特許請求の範囲において暫定的単語として使用されるときに「備える」が解釈されるときの「備える」という用語と同様の形で包括的であることが意図されている。
【符号の説明】
【０１２２】
１００  電力配送プロセス
１０５  発電施設
１１０  昇圧器
１１５  送電塔
１２０  送電変電所逓降変圧器
１２５  分配変電所逓降変圧器
１３０  柱の逓降変圧器
１３５  顧客構内
２００  送電網システム
２０５  ノード
３０２  デバイス
３０４  送電線
３０６  セクタ
４０５  電圧センサ
４１０  電流センサ
４２０  ＳＣＡＤＡ構成要素
４３０  リポジトリ
４３５  ＰＭＵ
４４０  ＰＤＣ／中央ＰＤＣ
５００  動的ディスパッチャ訓練シミュレータ
５０５  事象挿入構成要素
５１０  一時的シミュレーションエンジン構成要素
５１５  ＤＳＡツール
５２０  ＰＭＵベースのアプリケーション表示
５２５  ＳＣＡＤＡベースのアプリケーション表示
５３０  ハイブリッドアプリケーション表示
５３５  電力潮流シミュレーション構成要素
１０００  コンピューティングシステム
１０１２  コンピュータ
１０１４  プロセッシングユニット、プロセッサ
１０１６  システムメモリ
１０１８  システムバス
１０２０  揮発性
１０２２  不揮発性
１０２４  ディスクストレージ
１０２６  インターフェース
１０２８  オペレーティングシステム
１０３０  アプリケーション
１０３２  モジュール
１０３４  データ
１０３６  入力デバイス
１０３８  インターフェースポート
１０４０  出力デバイス
１０４２  出力アダプタ
１０４４  リモートコンピュータ
１０４６  メモリストレージ
１０４８  ネットワークインターフェース
１０５０  通信接続
１１００  サンプルコンピューティング環境
１１１０  クライアント
１１２０  クライアントデータストア
１１３０  サーバ
１１４０  サーバデータストア
１１５０  通信フレームワーク
【図１】
2018081299.tif 000003
【図２】
2018081299.tif 000004
【図３】
2018081299.tif 000005
【図４】
2018081299.tif 000006
【図５】
2018081299.tif 000007
【図６】
2018081299.tif 000008
【図７】
2018081299.tif 000009
【図８】
2018081299.tif 000010
【図９】
2018081299.tif 000011
【図１０】
2018081299.tif 000012
【図１１】
2018081299.tif 000013
【外国語明細書】
2018081299000001.pdf